(57)【要約】  本発明は測定方法、端末装置とネットワーク装置を開示する。該方法は、端末装置がネットワーク装置から送信された測定配置情報を受信し、前記測定配置情報が測定待ちの複数の測定対象分類を含むことと、前記端末装置が前記測定配置情報に基づき、前記複数の測定対象分類に属する複数の測定対象を測定することと、前記端末装置が前記ネットワーク装置へ測定レポートを送信し、前記測定レポートが前記複数の測定対象の中の報告条件を満たす測定対象の測定結果を含むこととを含む。このようにして、ネットワーク装置は複数の測定対象の測定情報を一度取得することができ、高性能の無線リソース管理のニーズを満たす
2020504486.tif 000002
【特許請求の範囲】
【請求項１】
測定方法であって、
端末装置がネットワーク装置から送信された測定配置情報を受信し、前記測定配置情報が測定待ちの複数の測定対象分類を含むことと、
前記端末装置が前記測定配置情報に基づき、前記複数の測定対象分類に属する複数の測定対象を測定することと、
前記端末装置が前記ネットワーク装置へ測定レポートを送信し、前記測定レポートが前記複数の測定対象の中の報告条件を満たす測定対象の測定結果を含むこととを含む、前記測定方法。
【請求項２】
前記測定配置情報がさらに前記複数の測定対象分類に対応する複数の測定条件を含み、ここで、前記端末装置が前記測定配置情報に基づき、前記複数の測定対象分類に属する複数の測定対象を測定することは、
前記端末装置が、前記複数の測定対象が前記複数の測定対象のそれぞれの測定対象分類に対応する測定条件を満たすことを確定することと、
前記端末装置が前記複数の測定対象に対して前記測定を行うこととを含むことを特徴とする
請求項１に記載の方法。
【請求項３】
前記測定配置情報がさらに前記複数の測定対象分類に対応する複数の報告条件を含み、ここで、前記端末装置が前記ネットワーク装置へ測定レポートを送信する前に、前記方法はさらに、
前記端末装置が前記複数の測定対象の測定結果と前記複数の測定対象分類に対応する複数の報告条件に基づき、前記測定レポートを生成することを含むことを特徴とする
請求項１又は２に記載の方法。
【請求項４】
前記端末装置が前記複数の測定対象の測定結果と前記複数の測定対象分類に対応する複数の報告条件に基づき、前記測定レポートを生成することは、
前記端末装置が前記複数の測定対象の測定結果と前記複数の測定対象分類の順序に基づき、前記測定レポートに記入しようとする現在の測定対象分類を確定することと、
前記現在の測定対象分類に属する測定対象の測定結果が前記現在の測定対象分類に対応する報告条件を満たすか否かを確定することと、
前記現在の測定対象分類における測定対象の測定結果が前記現在の測定対象分類に対応する報告条件を満たす場合、前記端末装置が前記現在の測定対象分類における測定対象の測定結果を前記測定レポートに記入し、そして前記順序に従って、次の測定対象分類を確定し、そして前記次の測定対象分類に属する測定対象の測定結果が前記次の測定対象分類に対応する報告条件を満たすか否かを確定することと、
前記現在の測定対象分類に属する測定対象の測定結果が前記現在の測定対象分類に対応する報告条件を満たしていない場合、前記端末装置が前記測定レポートへの記入を停止することとを含むことを特徴とする
請求項３に記載の方法。
【請求項５】
前記現在の測定対象分類に対応する報告条件は、
前記現在の測定対象分類における測定対象の測定結果が第一のプリセット閾値より高く、又は前記現在の測定対象分類における測定対象の測定結果が前記第一のプリセット閾値より高く且つ第一のプリセット時間長で持続されること、
前記現在の測定対象分類における測定対象の測定結果が第二のプリセット閾値より低く、又は前記現在の測定対象分類における測定対象の測定結果が前記第二のプリセット閾値より低く且つ第二のプリセット時間長で持続されること、
前記現在の測定対象分類における測定対象の測定結果がプリセット範囲にあり、又は前記現在の測定対象分類における測定対象の測定結果が前記プリセット範囲にあり且つ第三のプリセット時間長で持続されること、
前記現在の測定対象分類における測定対象が前記現在の測定対象分類における複数の測定対象のうちの測定結果が最も高いｎ個の測定対象であり、又は前記現在の測定対象分類における測定対象が前記測定結果の最も高いｎ個の測定対象であり且つ第四のプリセット時間長で持続され、ｎが正整数であること、
前記現在の測定対象分類における測定対象が現在の測定対象分類における複数の測定対象のうちの測定結果が最も低いｍ個の測定対象であり、又は前記現在の測定対象分類における測定対象が前記測定結果の最も低いｍ個の測定対象であり且つ第五のプリセット時間長で持続され、ｍが正整数であること、
前記測定レポート送信時刻がプリセットの報告周期を満たすこと、
のうちの少なくとも一つを含むことを特徴とする
請求項４に記載の方法。
【請求項６】
前記次の測定対象分類に対応する報告条件は、
前記端末装置が前記測定により前記次の測定対象分類における測定対象の測定結果を取得することができること、
前記次の測定対象分類における測定対象の測定結果が第一のプリセット閾値より高く、又は前記次の測定対象分類における測定対象の測定結果が前記第一のプリセット閾値より高く且つ第一のプリセット時間長で持続されること、
前記次の測定対象分類における測定対象の測定結果が第二のプリセット閾値より低く、又は前記次の測定対象分類における測定対象の測定結果が前記第二のプリセット閾値より低く且つ第二のプリセット時間長で持続されること、
前記次の測定対象分類における測定対象の測定結果が前記プリセット範囲にあり、又は前記次の測定対象分類における測定対象の測定結果がプリセット範囲にあり且つ第三のプリセット時間長で持続されること、
前記次の測定対象分類における測定対象が前記次の測定対象分類における複数の測定対象のうちの測定結果が最も高いｎ個の測定対象であり、又は前記次の測定対象分類における測定対象が前記測定結果の最も高いｎ個の測定対象であり且つ第四のプリセット時間長で持続され、ｎが正整数であること、
前記次の測定対象分類における測定対象が前記次の測定対象分類における複数の測定対象のうちの測定結果が最も低いｍ個の測定対象であり、又は前記次の測定対象分類における測定対象が前記測定結果の最も低いｍ個の測定対象であり且つ第五のプリセット時間長で持続され、ｍが正整数であること、
のうちの少なくとも一つを含むことを特徴とする
請求項４又は５に記載の方法。
【請求項７】
前記複数の測定対象分類は、
ネットワーク装置、周波数ポイント、セルとビームのうちの少なくとも２つを含むことを特徴とする
請求項１−６のいずれか一項に記載の方法。
【請求項８】
前記測定は、
信号受信電力測定、信号受信品質測定、信号受信強度測定と信号干渉レベル測定のうちの少なくとも一つを含むことを特徴とする
請求項１−７のいずれか一項に記載の方法。
【請求項９】
前記端末装置がネットワーク装置から送信された測定配置情報を受信することは、
前記端末装置が前記ネットワーク装置から無線リソース制御（ＲＲＣ）層、メディアアクセス制御（ＭＡＣ）層又は物理層を介して送信された前記測定配置情報を受信することを含むことを特徴とする
請求項１−８のいずれか一項に記載の方法。
【請求項１０】
測定方法であって、
前記端末装置が前記測定配置情報に基づき、前記複数の測定対象分類に属する複数の測定対象を測定するように、ネットワーク装置が端末装置へ測定配置情報を送信し、前記測定配置情報が測定待ちの複数の測定対象分類を含むことと、
前記ネットワーク装置が前記端末装置から送信された測定レポートを受信し、前記測定レポートが前記複数の測定対象の中の報告条件を満たす測定対象の測定結果を含むこととを含む、前記測定方法。
【請求項１１】
前記測定配置情報はさらに前記複数の測定対象分類に対応する複数の測定条件を含み、ここで、前記複数の測定対象が前記複数の測定対象のそれぞれの測定対象分類に対応する測定条件を満たすことを特徴とする
請求項１０に記載の方法。
【請求項１２】
前記端末装置が前記ネットワーク装置へ前記測定レポートを送信する前に、前記複数の測定対象の測定結果と前記複数の測定対象分類に対応する複数の報告条件に基づき、前記測定レポートを生成するように、前記測定配置情報はさらに前記複数の測定対象分類に対応する複数の報告条件を含むことを特徴とする
請求項１０又は１１に記載の方法。
【請求項１３】
前記複数の測定対象分類の間がプリセットの順序を満たし、前記順序が前記複数の測定対象の測定結果と前記複数の測定対象分類の順序に応じて、前記測定レポートに記入しようとする現在の測定対象分類を確定し、前記現在の測定対象分類に属する測定対象の測定結果が前記現在の測定対象分類に対応する報告条件を満たすか否かを確定するために前記端末装置によって用いられ、
ここで、前記現在の測定対象分類における測定対象の測定結果が前記現在の測定対象分類に対応する報告条件を満たす場合、前記測定レポートに前記現在の測定対象分類における測定対象の測定結果が含まれ、しかも前記順序がさらに次の測定対象分類における測定対象の測定結果が前記次の測定対象分類に対応する報告条件を満たすか否かを確定するために前記端末装置によって用いられ、
前記現在の測定対象分類における測定対象の測定結果が前記現在の測定対象分類に対応する報告条件を満たしていない場合、前記測定レポートに前記現在の測定対象分類における測定対象の測定結果が含まれなく、しかも前記順序がさらに前記測定レポートへの記入を停止するために前記端末装置によって用いられることを特徴とする
請求項１２に記載の方法。
【請求項１４】
前記現在の測定対象分類に対応する報告条件は、
前記現在の測定対象分類における測定対象の測定結果が第一のプリセット閾値より高く、又は前記現在の測定対象分類における測定対象の測定結果が前記第一のプリセット閾値より高く且つ第一のプリセット時間長で持続されること、
前記現在の測定対象分類における測定対象の測定結果が第二のプリセット閾値より低く、又は前記現在の測定対象分類における測定対象の測定結果が前記第二のプリセット閾値より低く且つ第二のプリセット時間長で持続されること、
前記現在の測定対象分類における測定対象の測定結果がプリセット範囲にあり、又は前記現在の測定対象分類における測定対象の測定結果が前記プリセット範囲にあり且つ第三のプリセット時間長で持続されること、
前記現在の測定対象分類における測定対象が前記現在の測定対象分類における複数の測定対象のうちの測定結果が最も高いｎ個の測定対象であり、又は前記現在の測定対象分類における測定対象が前記測定結果の最も高いｎ個の測定対象であり且つ第四のプリセット時間長で持続され、ｎが正整数であること、
前記現在の測定対象分類における測定対象が現在の測定対象分類における複数の測定対象のうちの測定結果が最も低いｍ個の測定対象であり、又は前記現在の測定対象分類における測定対象が前記測定結果の最も低いｍ個の測定対象であり且つ第五のプリセット時間長で持続され、ｍが正整数であること、
前記測定レポート送信時刻がプリセットの報告周期を満たすこと、
のうちの少なくとも一つを含むことを特徴とする
請求項１３に記載の方法。
【請求項１５】
前記次の測定対象分類に対応する報告条件は、
前記端末装置が測定により前記次の測定対象分類における測定対象の測定結果を取得することができること、
前記次の測定対象分類における測定対象の測定結果が第一のプリセット閾値より高く、又は前記次の測定対象分類における測定対象の測定結果が前記第一のプリセット閾値より高く且つ第一のプリセット時間長で持続されること、
前記次の測定対象分類における測定対象の測定結果が第二のプリセット閾値より低く、又は前記次の測定対象分類における測定対象の測定結果が前記第二のプリセット閾値より低く且つ第二のプリセット時間長で持続されること、
前記次の測定対象分類における測定対象の測定結果がプリセット範囲にあり、又は前記次の測定対象分類における測定対象の測定結果が前記プリセット範囲にあり且つ第三のプリセット時間長で持続されること、
前記次の測定対象分類における測定対象が前記次の測定対象分類における複数の測定対象のうちの測定結果が最も高いｎ個の測定対象であり、又は前記次の測定対象分類における測定対象が前記測定結果の最も高いｎ個の測定対象であり且つ第四のプリセット時間長で持続され、ｎが正整数であること、
前記次の測定対象分類における測定対象が前記次の測定対象分類における複数の測定対象のうちの測定結果が最も低いｍ個の測定対象であり、又は前記次の測定対象分類における測定対象が前記測定結果の最も低いｍ個の測定対象であり且つ第五のプリセット時間長で持続され、ｍが正整数であること、
のうちの少なくとも一つを含むことを特徴とする
請求項１３又は１４に記載の方法。
【請求項１６】
前記複数の測定対象分類は、
ネットワーク装置、周波数ポイント、セルとビームのうちの少なくとも２つを含むことを特徴とする
請求項１０−１５のいずれか一項に記載の方法。
【請求項１７】
前記測定は、
信号受信電力測定、信号受信品質測定、信号受信強度測定と信号干渉レベル測定のうちの少なくとも一つを含むことを特徴とする
請求項１０−１６のいずれか一項に記載の方法。
【請求項１８】
前記ネットワーク装置が端末装置へ測定配置情報を送信することは、
前記ネットワーク装置が無線リソース制御（ＲＲＣ）層、メディアアクセス制御（ＭＡＣ）層又は物理層を介して前記端末装置へ前記測定配置情報を送信することを含むことを特徴とする
請求項１０−１７のいずれか一項に記載の方法。
【請求項１９】
端末装置であって、
ネットワーク装置から送信された測定配置情報を受信するように構成され、前記測定配置情報が測定待ちの複数の測定対象分類を含む受信ユニットと、
前記測定配置情報に基づき、前記複数の測定対象分類に属する複数の測定対象を測定するように構成される測定ユニットと、
前記ネットワーク装置へ測定レポートを送信するように構成され、前記測定レポートが前記複数の測定対象の中の報告条件を満たす測定対象の測定結果を含む送信ユニットとを備える、前記端末装置。
【請求項２０】
前記測定配置情報がさらに前記複数の測定対象分類に対応する複数の測定条件を含み、ここで、前記測定ユニットは具体的に、
前記複数の測定対象が前記複数の測定対象のそれぞれの測定対象分類に対応する測定条件を満たすことを確定し、
前記複数の測定対象に対して前記測定を行うように構成されることを特徴とする
請求項１９に記載の端末装置。
【請求項２１】
前記測定配置情報がさらに前記複数の測定対象分類に対応する複数の報告条件を含み、ここで、前記測定ユニットはさらに、
前記送信ユニットが前記ネットワーク装置へ測定レポートを送信する前に、前記複数の測定対象の測定結果と前記複数の測定対象分類に対応する複数の報告条件に基づき、前記測定レポートを生成するように構成されることを特徴とする
請求項１９又は２０に記載の端末装置。
【請求項２２】
前記測定ユニットは具体的に、
前記複数の測定対象の測定結果と前記複数の測定対象分類の順序に基づき、前記測定レポートに記入しようとする現在の測定対象分類を確定し、
前記現在の測定対象分類に属する測定対象の測定結果が前記現在の測定対象分類に対応する報告条件を満たすか否かを確定し、
前記現在の測定対象分類における測定対象の測定結果が前記現在の測定対象分類に対応する報告条件を満たす場合、前記現在の測定対象分類における測定対象の測定結果を前記測定レポートに記入し、そして前記順序に従って、次の測定対象分類を確定し、そして前記次の測定対象分類に属する測定対象の測定結果が前記次の測定対象分類に対応する報告条件を満たすか否かを確定し、
前記現在の測定対象分類に属する測定対象の測定結果が前記現在の測定対象分類に対応する報告条件を満たしていない場合、前記測定レポートへの記入を停止するように構成されることを特徴とする
請求項２１に記載の端末装置。
【請求項２３】
前記現在の測定対象分類に対応する報告条件は、
前記現在の測定対象分類における測定対象の測定結果が第一のプリセット閾値より高く、又は前記現在の測定対象分類における測定対象の測定結果が前記第一のプリセット閾値より高く且つ第一のプリセット時間長で持続されること、
前記現在の測定対象分類における測定対象の測定結果が第二のプリセット閾値より低く、又は前記現在の測定対象分類における測定対象の測定結果が前記第二のプリセット閾値より低く且つ第二のプリセット時間長で持続されること、
前記現在の測定対象分類における測定対象の測定結果がプリセット範囲にあり、又は前記現在の測定対象分類における測定対象の測定結果が前記プリセット範囲にあり且つ第三のプリセット時間長で持続されること、
前記現在の測定対象分類における測定対象が前記現在の測定対象分類における複数の測定対象のうちの測定結果が最も高いｎ個の測定対象であり、又は前記現在の測定対象分類における測定対象が前記測定結果の最も高いｎ個の測定対象であり且つ第四のプリセット時間長で持続され、ｎが正整数であること、
前記現在の測定対象分類における測定対象が現在の測定対象分類における複数の測定対象のうちの測定結果が最も低いｍ個の測定対象であり、又は前記現在の測定対象分類における測定対象が前記測定結果の最も低いｍ個の測定対象であり且つ第五のプリセット時間長で持続され、ｍが正整数であること、
前記測定レポート送信時刻がプリセットの報告周期を満たすこと、
のうちの少なくとも一つを含むことを特徴とする請求項２２に記載の端末装置。
【請求項２４】
前記次の測定対象分類に対応する報告条件は、
前記端末装置が前記測定により前記次の測定対象分類における測定対象の測定結果を取得することができること、
前記次の測定対象分類における測定対象の測定結果が第一のプリセット閾値より高く、又は前記次の測定対象分類における測定対象の測定結果が前記第一のプリセット閾値より高く且つ第一のプリセット時間長で持続されること、
前記次の測定対象分類における測定対象の測定結果が第二のプリセット閾値より低く、又は前記次の測定対象分類における測定対象の測定結果が前記第二のプリセット閾値より低く且つ第二のプリセット時間長で持続されること、
前記次の測定対象分類における測定対象の測定結果が前記プリセット範囲にあり、又は前記次の測定対象分類における測定対象の測定結果がプリセット範囲にあり且つ第三のプリセット時間長で持続されること、
前記次の測定対象分類における測定対象が前記次の測定対象分類における複数の測定対象のうちの測定結果が最も高いｎ個の測定対象であり、又は前記次の測定対象分類における測定対象が前記測定結果の最も高いｎ個の測定対象であり且つ第四のプリセット時間長で持続され、ｎが正整数であること、
前記次の測定対象分類における測定対象が前記次の測定対象分類における複数の測定対象のうちの測定結果が最も低いｍ個の測定対象であり、又は前記次の測定対象分類における測定対象が前記測定結果の最も低いｍ個の測定対象であり且つ第五のプリセット時間長で持続され、ｍが正整数であること、
のうちの少なくとも一つを含むことを特徴とする
請求項２２又は２３に記載の端末装置。
【請求項２５】
前記複数の測定対象分類は、
ネットワーク装置、周波数ポイント、セルとビームのうちの少なくとも２つを含むことを特徴とする
請求項１９−２４のいずれか一項に記載の端末装置。
【請求項２６】
前記測定は、
信号受信電力測定、信号受信品質測定、信号受信強度測定と信号干渉レベル測定のうちの少なくとも一つを含むことを特徴とする
請求項１９−２５のいずれか一項に記載の端末装置。
【請求項２７】
前記受信ユニットは具体的に、
前記ネットワーク装置から無線リソース制御（ＲＲＣ）層、メディアアクセス制御（ＭＡＣ）層又は物理層を介して送信された前記測定配置情報を受信するように構成されることを特徴とする
請求項１９−２６のいずれか一項に記載の端末装置。
【請求項２８】
ネットワーク装置であって、
前記端末装置が前記測定配置情報に基づき、前記複数の測定対象分類に属する複数の測定対象を測定するように、端末装置へ測定配置情報を送信するように構成され、前記測定配置情報が測定待ちの複数の測定対象分類を含む送信ユニットと、
前記端末装置から送信された測定レポートを受信するように構成され、前記測定レポートが前記複数の測定対象の中の報告条件を満たす測定対象の測定結果を含む受信ユニットとを備える、前記ネットワーク装置。
【請求項２９】
前記測定配置情報がさらに前記複数の測定対象分類に対応する複数の測定条件を含み、ここで、前記複数の測定対象が前記複数の測定対象のそれぞれの測定対象分類に対応する測定条件を満たすことを特徴とする
請求項２８に記載のネットワーク装置。
【請求項３０】
前記端末装置が前記ネットワーク装置へ前記測定レポートを送信する前に、前記複数の測定対象の測定結果と前記複数の測定対象分類に対応する複数の報告条件に基づき、前記測定レポートを生成するように、前記測定配置情報はさらに前記複数の測定対象分類に対応する複数の報告条件を含むことを特徴とする
請求項２８又は２９に記載のネットワーク装置。
【請求項３１】
前記複数の測定対象分類の間がプリセットの順序を満たし、前記順序が前記複数の測定対象の測定結果と前記複数の測定対象分類の順序に応じて、前記測定レポートに記入しようとする現在の測定対象分類を確定し、前記現在の測定対象分類に属する測定対象の測定結果が前記現在の測定対象分類に対応する報告条件を満たすか否かを確定するために前記端末装置によって用いられ、
ここで、前記現在の測定対象分類における測定対象の測定結果が前記現在の測定対象分類に対応する報告条件を満たす場合、前記測定レポートに前記現在の測定対象分類における測定対象の測定結果が含まれ、しかも前記順序がさらに次の測定対象分類における測定対象の測定結果が前記次の測定対象分類に対応する報告条件を満たすか否かを確定するために前記端末装置によって用いられ、
前記現在の測定対象分類における測定対象の測定結果が前記現在の測定対象分類に対応する報告条件を満たしていない場合、前記測定レポートに前記現在の測定対象分類における測定対象の測定結果が含まれなく、しかも前記順序がさらに前記測定レポートへの記入を停止するために前記端末装置によって用いられることを特徴とする
請求項３０に記載のネットワーク装置。
【請求項３２】
前記現在の測定対象分類に対応する報告条件は、
前記現在の測定対象分類における測定対象の測定結果が第一のプリセット閾値より高く、又は前記現在の測定対象分類における測定対象の測定結果が前記第一のプリセット閾値より高く且つ第一のプリセット時間長で持続されること、
前記現在の測定対象分類における測定対象の測定結果が第二のプリセット閾値より低く、又は前記現在の測定対象分類における測定対象の測定結果が前記第二のプリセット閾値より低く且つ第二のプリセット時間長で持続されること、
前記現在の測定対象分類における測定対象の測定結果がプリセット範囲にあり、又は前記現在の測定対象分類における測定対象の測定結果が前記プリセット範囲にあり且つ第三のプリセット時間長で持続されること、
前記現在の測定対象分類における測定対象が前記現在の測定対象分類における複数の測定対象のうちの測定結果が最も高いｎ個の測定対象であり、又は前記現在の測定対象分類における測定対象が前記測定結果の最も高いｎ個の測定対象であり且つ第四のプリセット時間長で持続され、ｎが正整数であること、
前記現在の測定対象分類における測定対象が現在の測定対象分類における複数の測定対象のうちの測定結果が最も低いｍ個の測定対象であり、又は前記現在の測定対象分類における測定対象が前記測定結果の最も低いｍ個の測定対象であり且つ第五のプリセット時間長で持続され、ｍが正整数であること、
前記測定レポート送信時刻がプリセットの報告周期を満たすこと、
のうちの少なくとも一つを含むことを特徴とする
請求項３１に記載のネットワーク装置。
【請求項３３】
前記次の測定対象分類に対応する報告条件は、
前記端末装置が測定により前記次の測定対象分類における測定対象の測定結果を取得することができること、
前記次の測定対象分類における測定対象の測定結果が第一のプリセット閾値より高く、又は前記次の測定対象分類における測定対象の測定結果が前記第一のプリセット閾値より高く且つ第一のプリセット時間長で持続されること、
前記次の測定対象分類における測定対象の測定結果が第二のプリセット閾値より低く、又は前記次の測定対象分類における測定対象の測定結果が前記第二のプリセット閾値より低く且つ第二のプリセット時間長で持続されること、
前記次の測定対象分類における測定対象の測定結果がプリセット範囲にあり、又は前記次の測定対象分類における測定対象の測定結果が前記プリセット範囲にあり且つ第三のプリセット時間長で持続されること、
前記次の測定対象分類における測定対象が前記次の測定対象分類における複数の測定対象のうちの測定結果が最も高いｎ個の測定対象であり、又は前記次の測定対象分類における測定対象が前記測定結果の最も高いｎ個の測定対象であり且つ第四のプリセット時間長で持続され、ｎが正整数であること、
前記次の測定対象分類における測定対象が前記次の測定対象分類における複数の測定対象のうちの測定結果が最も低いｍ個の測定対象であり、又は前記次の測定対象分類における測定対象が前記測定結果の最も低いｍ個の測定対象であり且つ第五のプリセット時間長で持続され、ｍが正整数であること、
のうちの少なくとも一つを含むことを特徴とする
請求項３１又は３２に記載のネットワーク装置。
【請求項３４】
前記複数の測定対象分類は、
ネットワーク装置、周波数ポイント、セルとビームのうちの少なくとも２つを含むことを特徴とする
請求項２８−３３のいずれか一項に記載のネットワーク装置。
【請求項３５】
前記測定は、
信号受信電力測定、信号受信品質測定、信号受信強度測定と信号干渉レベル測定のうちの少なくとも一つを含むことを特徴とする請求項２８−３４のいずれか一項に記載のネットワーク装置。
【請求項３６】
前記送信ユニットは具体的に、
無線リソース制御（ＲＲＣ）層、メディアアクセス制御（ＭＡＣ）層又は物理層を介して前記端末装置へ前記測定配置情報を送信するように構成されることを特徴とする
請求項２８−３５のいずれか一項に記載のネットワーク装置。
【発明の詳細な説明】
【技術分野】
【０００１】
本発明の実施例は無線通信分野に関し、且つより具体的には、測定方法、端末装置とネットワーク装置に関する。
【背景技術】
【０００２】
長期進化型（Ｌｏｎｇ  Ｔｅｒｍ  Ｅｖｏｌｕｔｉｏｎ：「ＬＴＥ」と略称）システムにおける測定は主に接続状態におけるモビリティ測定を指すことができる。ネットワーク装置が端末装置に測定配置情報を送信した後、端末装置は測定配置情報に示される測定対象、測定報告条件などの配置パラメータに基づき、隣接セルの信号状態を検出し、又はネットワーク装置からの指示に応じて隣接セルのシステム情報内容を読み取り、ネットワーク装置がセルのハンドオーバ又は隣接セルのような関係リストの改善を行うための測定レポート情報を記入してネットワーク装置にフィードバックすることができる。しかし、将来の５Ｇ通信システムでは、測定情報に対するネットワーク装置のニーズが増加するにつれて、従来の測定方法は高性能の無線リソース管理のニーズを満たすことができない。
【発明の概要】
【発明が解決しようとする課題】
【０００３】
本発明の実施例は測定方法、端末装置とネットワーク装置を提供し、端末装置がネットワーク装置に様々な測定対象の測定情報を提供することができ、高性能の無線リソース管理のニーズを満たす。
【課題を解決するための手段】
【０００４】
第一の態様による測定方法は、端末装置がネットワーク装置から送信された測定配置情報を受信し、前記測定配置情報が測定待ちの複数の測定対象分類を含むことと、前記端末装置が前記測定配置情報に基づき、前記複数の測定対象分類に属する複数の測定対象を測定することと、前記端末装置が前記ネットワーク装置へ測定レポートを送信し、前記測定レポートが前記複数の測定対象の中の報告条件を満たす測定対象の測定結果を含むこととを含む。
【０００５】
本発明の実施例では、端末装置は評価された複数の測定対象の測定結果をネットワーク装置に報告することにより、ネットワーク装置に豊かな補助情報を提供し、高性能の無線リソース管理のニーズを満たす。
【０００６】
上記測定配置情報は例えば複数の測定対象分類、測定のタイプ（又は測定量と呼ばれる）、複数の測定対象分類のそれぞれに対応する報告条件のうちの少なくとも一つを含むことができる。また、測定識別子、測定間隔（Ｍｅａｓｕｒｅｍｅｎｔ  Ｇａｐ）、測定開始閾値と速度状態パラメータなどの他のパラメータを含むことができる。
【０００７】
選択可能に、第一の態様の一つの実施形態では、前記測定配置情報はさらに前記複数の測定対象分類に対応する複数の測定条件を含み、ここで、前記端末装置が前記測定配置情報に基づき、前記複数の測定対象分類に属する複数の測定対象を測定することは、前記端末装置が、前記複数の測定対象が前記複数の測定対象のそれぞれの測定対象分類に対応する測定条件を満たすことを確定することと、前記端末装置が前記複数の測定対象に対して前記測定を行うこととを含む。
【０００８】
即ち、該複数の測定対象は該複数の測定対象のそれぞれの属する測定対象分類に対応する測定条件を満たす。
【０００９】
選択可能に、第一の態様の一つの実施形態では、前記測定配置情報はさらに前記複数の測定対象分類に対応する複数の報告条件を含み、ここで、前記端末装置が前記ネットワーク装置へ測定レポートを送信する前に、前記方法はさらに前記端末装置が前記複数の測定対象の測定結果と前記複数の測定対象分類に対応する複数の報告条件に基づき、前記測定レポートを生成することを含む。
【００１０】
選択可能に、第一の態様の一つの実施形態では、前記端末装置が前記複数の測定対象の測定結果と前記複数の測定対象分類に対応する複数の報告条件に基づき、前記測定レポートを生成することは、前記端末装置が前記複数の測定対象の測定結果と前記複数の測定対象分類の順序に応じて、前記測定レポートに記入しようとする現在の測定対象分類を確定することと、前記現在の測定対象分類に属する測定対象の測定結果が前記現在の測定対象分類に対応する報告条件を満たすか否かを確定することと、前記現在の測定対象分類における測定対象の測定結果が前記現在の測定対象分類に対応する報告条件を満たす場合、前記端末装置が前記現在の測定対象分類における測定対象の測定結果を前記測定レポートに記入し、そして前記順序に従って、次の測定対象分類を確定し、そして前記次の測定対象分類に属する測定対象の測定結果が前記次の測定対象分類に対応する報告条件を満たすか否かを確定することと、前記現在の測定対象分類における測定対象の測定結果が現在の測定対象分類に対応する報告条件を満たしていない場合、前記端末装置が前記測定レポートへの記入を停止することとを含む。
【００１１】
ここでの報告条件は例えばイベントトリガ報告、周期的トリガ報告とイベントトリガ周期的報告という３つのタイプに分けられてもよい。ここで、イベントトリガ報告を示すための報告条件が測定タイプと閾値を含むことができ、周期的トリガ報告を示すための報告条件が報告周期と周期的トリガの目的を含むことができ、イベントトリガ周期的報告を示すための報告条件が測定タイプ、閾値、及び該閾値を満たし且つ持続できる時間長を含むことができる。
【００１２】
選択可能に、第一の態様の一つの実施形態では、前記現在の測定対象分類に対応する報告条件は、前記現在の測定対象分類における測定対象の測定結果が第一のプリセット閾値より高く、又は前記現在の測定対象分類における測定対象の測定結果が前記第一のプリセット閾値より高く且つ第一のプリセット時間長で持続されること、前記現在の測定対象分類における測定対象の測定結果が第二のプリセット閾値より低く、又は前記現在の測定対象分類における測定対象の測定結果が前記第二のプリセット閾値より低く且つ第二のプリセット時間長で持続されること、前記現在の測定対象分類における測定対象の測定結果がプリセット範囲にあり、又は前記現在の測定対象分類における測定対象の測定結果が前記プリセット範囲にあり且つ第三のプリセット時間長で持続されること、前記現在の測定対象分類における測定対象が現在の測定対象分類における複数の測定対象のうちの測定結果が最も高いｎ個の測定対象であり、又は前記現在の測定対象分類における測定対象が前記測定結果の最も高いｎ個の測定対象であり且つ第四のプリセット時間長で持続され、ｎが正整数であること、前記現在の測定対象分類における測定対象が前記現在の測定対象分類における複数の測定対象のうちの測定結果が最も低いｍ個の測定対象であり、又は前記現在の測定対象分類における測定対象が前記測定結果の最も低いｍ個の測定対象であり且つ第五のプリセット時間長で持続され、ｍが正整数であること、前記測定レポート送信時刻がプリセットの報告周期を満たすことのうちの少なくとも一つを含む。
【００１３】
選択可能に、第一の態様の一つの実施形態では、前記次の測定対象分類に対応する報告条件は、前記端末装置が前記測定により前記次の測定対象分類における測定対象の測定結果を取得することができること、前記次の測定対象分類における測定対象の測定結果が第一のプリセット閾値より高く、又は前記次の測定対象分類における測定対象の測定結果が前記第一のプリセット閾値より高く且つ第一のプリセット時間長で持続されること、前記次の測定対象分類における測定対象の測定結果が第二のプリセット閾値より低く、又は前記次の測定対象分類における測定対象の測定結果が前記第二のプリセット閾値より低く且つ第二のプリセット時間長で持続されること、前記次の測定対象分類における測定対象の測定結果が前記プリセット範囲にあり、又は前記次の測定対象分類における測定対象の測定結果がプリセット範囲にあり且つ第三のプリセット時間長で持続されること、前記次の測定対象分類における測定対象が前記次の測定対象分類における複数の測定対象のうちの測定結果が最も高いｎ個の測定対象であり、又は前記次の測定対象分類における測定対象が前記測定結果の最も高いｎ個の測定対象であり且つ第四のプリセット時間長で持続され、ｎが正整数であること、前記次の測定対象分類における測定対象が前記次の測定対象分類における複数の測定対象のうちの測定結果が最も低いｍ個の測定対象であり、又は前記次の測定対象分類における測定対象が前記測定結果の最も低いｍ個の測定対象であり且つ第五のプリセット時間長で持続され、ｍが正整数であることのうちの少なくとも一つを含む。
【００１４】
該複数の測定対象分類に含まれるいずれかの２つの測定対象分類を例とする場合、端末装置は複数の測定対象分類の順序に従って、複数の測定対象分類を評価する。まず１番目の測定対象分類に属する測定対象を報告するか否かを確定する。
【００１５】
１番目の測定対象分類に属する測定対象の測定結果が１番目の測定対象分類に対応する報告条件を満たす場合、端末装置は該１番目の測定対象分類に属する測定対象の測定結果を該測定レポートに記入し、そして２番目の測定対象分類に属する測定対象が２番目の測定対象分類に対応する報告条件を満たすか否かを判定（又は評価）する。２番目の測定対象分類に属する測定対象が２番目の測定対象分類に対応する報告条件を満たす場合、端末装置は該２番目の測定対象分類における測定対象の測定結果を該測定レポートに記入する。
【００１６】
端末装置が該１番目の測定対象分類に属する測定対象を評価した後、１番目の測定対象分類における測定対象の測定結果が１番目の測定対象分類に対応する報告条件を満たしていないことを確定した場合、端末装置は該１番目の測定対象分類における測定対象の測定結果を測定レポートに記入せず、そして２番目の測定対象分類における測定対象を継続的に評価しない。
【００１７】
即ち、２番目の測定対象分類に属する測定対象が２番目の測定対象分類に対応する報告条件を満たしているか否かに関わらず、１番目の測定対象分類に属する測定対象の測定結果が１番目の測定対象分類に対応する報告条件さえ満たさなければ、端末装置は２番目の測定対象分類に属する測定対象を評価しない。
【００１８】
端末装置は、条件を満たす全ての測定対象の測定結果が測定レポートに記入されるまで、複数の測定対象分類の順序に基づき、上記方式に従って複数の測定対象分類に属する複数の測定対象の測定結果を順次評価し、それによってネットワーク装置へ該測定レポートを送信する。
【００１９】
２つの測定対象分類を例とする場合、該複数の測定対象分類が測定対象分類Ａと測定対象分類Ｂを含み、そして測定対象分類Ａの順序が測定対象分類Ｂの前に位置すると仮定する。そうすると、測定された測定対象分類Ａの測定結果がプリセット閾値Ａの要求を満たする時に、測定された測定対象分類Ｂの測定結果がプリセット閾値Ｂの要求を満たす場合、端末装置は測定対象分類Ａと測定対象分類Ｂの測定結果をネットワーク装置に報告し、又は、測定対象分類Ａの測定結果がプリセット閾値Ａの要求を満たし且つ一定の時間Ｔ１持続する時に、測定対象分類Ｂの測定結果がプリセット閾値Ｂの要求を満たす場合、端末装置は測定対象分類Ａと測定対象分類Ｂの測定結果をネットワーク装置に報告し、測定されたある対象Ａの測定結果がプリセットの条件Ａを満たす時に、測定された別の対象Ｂの測定結果がプリセットの条件Ｂを満たし且つ一定の時間Ｔ２持続する場合、端末装置はＡとＢの測定結果をネットワーク装置に報告し、又は、測定対象分類Ａの測定結果がプリセット閾値Ａの要求を満たし且つ一定の時間Ｔ１持続する時に、測定対象分類Ｂの測定結果がプリセットＢの要求を満たし且つ一定の時間Ｔ２持続する場合、端末装置は測定対象分類Ａと測定対象分類Ｂの測定結果をネットワーク装置に報告する。
【００２０】
選択可能に、第一の態様の一つの実施形態では、前記複数の測定対象分類はネットワーク装置、周波数ポイント、セルとビームのうちの少なくとも２つを含む。
【００２１】
ここで、該ネットワーク装置は基地局、伝送ポイント（Ｔｒａｎｓｍｉｓｓｉｏｎ  Ｒｅｆｅｒｅｎｃｅ  Ｐｏｉｎｔ：「ＴＲＰ」と略称）などを含むがこれらに限定されない。
【００２２】
選択可能に、第一の態様の一つの実施形態では、前記測定は信号受信電力測定、信号受信品質測定、信号受信強度測定と信号干渉レベル測定のうちの少なくとも一つを含む。
【００２３】
選択可能に、第一の態様の一つの実施形態では、前記端末装置がネットワーク装置から送信された測定配置情報を受信することは、前記端末装置が前記ネットワーク装置から無線リソース制御（ＲＲＣ）層、メディアアクセス制御（ＭＡＣ）層又は物理層を介して送信された前記測定配置情報を受信することを含む。
【００２４】
第二の態様による端末装置は、前記第一の態様及び様々な実施形態における測定方法の端末装置によって実行される各プロセスを実行することに用いられてもよい。該端末装置は、受信ユニット、測定ユニットと送信ユニットを備える。
【００２５】
受信ユニットは、ネットワーク装置から送信された測定配置情報を受信するように構成され、前記測定配置情報が測定待ちの複数の測定対象分類を含む。
【００２６】
測定ユニットは、前記測定配置情報に基づき、前記複数の測定対象分類に属する複数の測定対象を測定するように構成される。
【００２７】
送信ユニットは、前記ネットワーク装置へ測定レポートを送信するように構成され、前記測定レポートが前記複数の測定対象の中の報告条件を満たす測定対象の測定結果を含む。
【００２８】
このようにして、端末装置は評価された複数の測定対象の測定結果をネットワーク装置に報告することにより、ネットワーク装置に豊かな補助情報を提供し、高性能の無線リソース管理のニーズを満たす。
【００２９】
選択可能に、第二の態様の一つの実施形態では、前記測定配置情報はさらに前記複数の測定対象分類に対応する複数の測定条件を含み、ここで、前記測定ユニットは具体的に前記複数の測定対象が前記複数の測定対象のそれぞれの測定対象分類に対応する測定条件を満たすことを確定し、前記複数の測定対象に対して前記測定を行うように構成される。
【００３０】
選択可能に、第二の態様の一つの実施形態では、前記測定配置情報はさらに前記複数の測定対象分類に対応する複数の報告条件を含み、ここで、前記測定ユニットはさらに前記送信ユニットが前記ネットワーク装置へ測定レポートを送信する前に、前記複数の測定対象の測定結果と前記複数の測定対象分類に対応する複数の報告条件に基づき、前記測定レポートを生成するように構成される。
【００３１】
選択可能に、第一の態様の一つの実施形態では、前記測定ユニットは具体的に前記複数の測定対象の測定結果と前記複数の測定対象分類の順序に応じて、前記測定レポートに記入しようとする現在の測定対象分類を確定し、前記現在の測定対象分類に属する測定対象の測定結果が前記現在の測定対象分類に対応する報告条件を満たすか否かを確定し、前記現在の測定対象分類における測定対象の測定結果が前記現在の測定対象分類に対応する報告条件を満たす場合、前記現在の測定対象分類における測定対象の測定結果を前記測定レポートに記入し、そして前記順序に従って、次の測定対象分類を確定し、そして前記次の測定対象分類に属する測定対象の測定結果が前記次の測定対象分類に対応する報告条件を満たすか否かを確定し、前記現在の測定対象分類における測定対象の測定結果が現在の測定対象分類に対応する報告条件を満たしていない場合、前記測定レポートへの記入を停止するように構成される。
【００３２】
選択可能に、第二の態様の一つの実施形態では、前記現在の測定対象分類に対応する報告条件は、前記現在の測定対象分類における測定対象の測定結果が第一のプリセット閾値より高く、又は前記現在の測定対象分類における測定対象の測定結果が前記第一のプリセット閾値より高く且つ第一のプリセット時間長で持続されること、前記現在の測定対象分類における測定対象の測定結果が第二のプリセット閾値より低く、又は前記現在の測定対象分類における測定対象の測定結果が前記第二のプリセット閾値より低く且つ第二のプリセット時間長で持続されること、前記現在の測定対象分類における測定対象の測定結果がプリセット範囲にあり、又は前記現在の測定対象分類における測定対象の測定結果が前記プリセット範囲にあり且つ第三のプリセット時間長で持続されること、前記現在の測定対象分類における測定対象が前記現在の測定対象分類における複数の測定対象のうちの測定結果が最も高いｎ個の測定対象であり、又は前記現在の測定対象分類における測定対象が前記測定結果の最も高いｎ個の測定対象であり且つ第四のプリセット時間長で持続され、ｎが正整数であること、前記現在の測定対象分類における測定対象が前記現在の測定対象分類における複数の測定対象のうちの測定結果が最も低いｍ個の測定対象であり、又は前記現在の測定対象分類における測定対象が前記測定結果の最も低いｍ個の測定対象であり且つ第五のプリセット時間長で持続され、ｍが正整数であること、前記測定レポート送信時刻がプリセットの報告周期を満たすことのうちの少なくとも一つを含む。
【００３３】
選択可能に、第二の態様の一つの実施形態では、前記次の測定対象分類に対応する報告条件は、前記端末装置が前記測定により前記次の測定対象分類における測定対象の測定結果を取得することができること、前記次の測定対象分類における測定対象の測定結果が第一のプリセット閾値より高く、又は前記次の測定対象分類における測定対象の測定結果が前記第一のプリセット閾値より高く且つ第一のプリセット時間長で持続されること、前記次の測定対象分類における測定対象の測定結果が第二のプリセット閾値より低く、又は前記次の測定対象分類における測定対象の測定結果が前記第二のプリセット閾値より低く且つ第二のプリセット時間長で持続されること、前記次の測定対象分類における測定対象の測定結果が前記プリセット範囲にあり、又は前記次の測定対象分類における測定対象の測定結果がプリセット範囲にあり且つ第三のプリセット時間長で持続されること、前記次の測定対象分類における測定対象が前記次の測定対象分類における複数の測定対象のうちの測定結果が最も高いｎ個の測定対象であり、又は前記次の測定対象分類における測定対象が前記測定結果の最も高いｎ個の測定対象であり且つ第四のプリセット時間長で持続され、ｎが正整数であること、前記次の測定対象分類における測定対象が前記次の測定対象分類における複数の測定対象のうちの測定結果が最も低いｍ個の測定対象であり、又は前記次の測定対象分類における測定対象が前記測定結果の最も低いｍ個の測定対象であり且つ第五のプリセット時間長で持続され、ｍが正整数であることのうちの少なくとも一つを含む。
【００３４】
選択可能に、第二の態様の一つの実施形態では、前記複数の測定対象分類はネットワーク装置、周波数ポイント、セルとビームのうちの少なくとも２つを含む。
【００３５】
選択可能に、第二の態様の一つの実施形態では、前記測定は信号受信電力測定、信号受信品質測定、信号受信強度測定と信号干渉レベル測定のうちの少なくとも一つを含む。
【００３６】
選択可能に、第二の態様の一つの実施形態では、前記受信ユニットは具体的に前記ネットワーク装置から無線リソース制御（ＲＲＣ）層、メディアアクセス制御（ＭＡＣ）層又は物理層を介して送信された前記測定配置情報を受信するように構成される。
【００３７】
第三の態様による端末装置は、前記第一の態様及び様々な実施形態における基準信号伝送方法の端末装置によって実行される各プロセスを実行することに用いられてもよい。該端末装置はプロセッサ、受信機と送信機を備える。前記受信機はネットワーク装置から送信された測定配置情報を受信するように構成され、前記測定配置情報が測定待ちの複数の測定対象分類を含み、前記プロセッサは前記測定配置情報に基づき、前記複数の測定対象分類に属する複数の測定対象を測定するように構成され、前記送信機は前記ネットワーク装置へ測定レポートを送信するように構成され、前記測定レポートが前記複数の測定対象の中の報告条件を満たす測定対象の測定結果を含む。
【００３８】
第四の態様によるコンピュータ可読記憶媒体は、端末装置に上記第一の態様、及びその様々な実施形態のいずれかの測定方法を実行させるためのプログラムを記憶する。
【００３９】
第五の態様による測定方法は、前記端末装置が前記測定配置情報に基づき、前記複数の測定対象分類に属する複数の測定対象を測定するように、ネットワーク装置が端末装置へ測定配置情報を送信し、前記測定配置情報が測定待ちの複数の測定対象分類を含むことと、前記ネットワーク装置が前記端末装置から送信された測定レポートを受信し、前記測定レポートが前記複数の測定対象の中の報告条件を満たす測定対象の測定結果を含むこととを含む。
【００４０】
本発明の実施例では、ネットワーク装置は端末装置から送信された、評価された複数の測定対象分類の測定結果を受信することにより、豊かな補助情報を取得し、高性能の無線リソース管理のニーズを満たす。
【００４１】
選択可能に、第五の態様の一つの実施形態では、前記測定配置情報はさらに前記複数の測定対象分類に対応する複数の測定条件を含み、ここで、前記複数の測定対象が前記複数の測定対象のそれぞれの測定対象分類に対応する測定条件を満たす。
【００４２】
選択可能に、第五の態様の一つの実施形態では、前記端末装置が前記ネットワーク装置へ前記測定レポートを送信する前に、前記複数の測定対象の測定結果と前記複数の測定対象分類に対応する複数の報告条件に基づき、前記測定レポートを生成するように、前記測定配置情報はさらに前記複数の測定対象分類に対応する複数の報告条件を含む。
【００４３】
選択可能に、第五の態様の一つの実施形態では、前記複数の測定対象分類の間がプリセットの順序を満たし、前記順序が前記複数の測定対象の測定結果と前記複数の測定対象分類の順序に応じて、前記測定レポートに記入しようとする現在の測定対象分類を確定し、前記現在の測定対象分類に属する測定対象の測定結果が前記現在の測定対象分類に対応する報告条件を満たすか否かを確定するために前記端末装置によって用いられ、ここで、前記現在の測定対象分類における測定対象の測定結果が前記現在の測定対象分類に対応する報告条件を満たす場合、前記測定レポートに前記現在の測定対象分類における測定対象の測定結果が含まれ、しかも前記順序がさらに次の測定対象分類における測定対象の測定結果が前記次の測定対象分類に対応する報告条件を満たすか否かを確定するために前記端末装置によって用いられ、前記現在の測定対象分類における測定対象の測定結果が前記現在の測定対象分類に対応する報告条件を満たしていない場合、前記測定レポートに前記現在の測定対象分類における測定対象の測定結果が含まれなく、しかも前記順序がさらに前記測定レポートへの記入を停止するために前記端末装置によって用いられる。
【００４４】
選択可能に、第五の態様の一つの実施形態では、前記現在の測定対象分類に対応する報告条件は、前記現在の測定対象分類における測定対象の測定結果が第一のプリセット閾値より高く、又は前記現在の測定対象分類における測定対象の測定結果が前記第一のプリセット閾値より高く且つ第一のプリセット時間長で持続されること、前記現在の測定対象分類における測定対象の測定結果が第二のプリセット閾値より低く、又は前記現在の測定対象分類における測定対象の測定結果が前記第二のプリセット閾値より低く且つ第二のプリセット時間長で持続されること、前記現在の測定対象分類における測定対象の測定結果がプリセット範囲にあり、又は前記現在の測定対象分類における測定対象の測定結果が前記プリセット範囲にあり且つ第三のプリセット時間長で持続されること、前記現在の測定対象分類における測定対象が現在の測定対象分類における複数の測定対象のうちの測定結果が最も高いｎ個の測定対象であり、又は前記現在の測定対象分類における測定対象が前記測定結果の最も高いｎ個の測定対象であり且つ第四のプリセット時間長で持続され、ｎが正整数であること、前記現在の測定対象分類における測定対象が前記現在の測定対象分類における複数の測定対象のうちの測定結果が最も低いｍ個の測定対象であり、又は前記現在の測定対象分類における測定対象が前記測定結果の最も低いｍ個の測定対象であり且つ第五のプリセット時間長で持続され、ｍが正整数であること、前記測定レポート送信時刻がプリセットの報告周期を満たすことのうちの少なくとも一つを含む。
【００４５】
選択可能に、第五の態様の一つの実施形態では、前記次の測定対象分類に対応する報告条件は、前記端末装置が測定により前記次の測定対象分類における測定対象の測定結果を取得することができること、前記次の測定対象分類における測定対象の測定結果が第一のプリセット閾値より高く、又は前記次の測定対象分類における測定対象の測定結果が前記第一のプリセット閾値より高く且つ第一のプリセット時間長で持続されること、前記次の測定対象分類における測定対象の測定結果が第二のプリセット閾値より低く、又は前記次の測定対象分類における測定対象の測定結果が前記第二のプリセット閾値より低く且つ第二のプリセット時間長で持続されること、前記次の測定対象分類における測定対象の測定結果がプリセット範囲にあり、又は前記次の測定対象分類における測定対象の測定結果がプリセット範囲にあり且つ第三のプリセット時間長で持続されること、前記次の測定対象分類における測定対象が前記次の測定対象分類における複数の測定対象のうちの測定結果が最も高いｎ個の測定対象であり、又は前記次の測定対象分類における測定対象が前記測定結果の最も高いｎ個の測定対象であり且つ第四のプリセット時間長で持続され、ｎが正整数であること、前記次の測定対象分類における測定対象が前記次の測定対象分類における複数の測定対象のうちの測定結果が最も低いｍ個の測定対象であり、又は前記次の測定対象分類における測定対象が前記測定結果の最も低いｍ個の測定対象であり且つ第五のプリセット時間長で持続され、ｍが正整数であることのうちの少なくとも一つを含む。
【００４６】
選択可能に、第五の態様の一つの実施形態では、前記複数の測定対象分類はネットワーク装置、周波数ポイント、セルとビームのうちの少なくとも２つを含む。
【００４７】
選択可能に、第五の態様の一つの実施形態では、前記測定は信号受信電力測定、信号受信品質測定、信号受信強度測定と信号干渉レベル測定のうちの少なくとも一つを含む。
【００４８】
選択可能に、第五の態様の一つの実施形態では、前記ネットワーク装置が端末装置へ測定配置情報を送信することは、前記ネットワーク装置が無線リソース制御（ＲＲＣ）層、メディアアクセス制御（ＭＡＣ）層又は物理層を介して前記端末装置へ前記測定配置情報を送信することを含む。
【００４９】
第六の態様によるネットワーク装置は、前記第五の態様及び様々な実施形態における測定方法のネットワーク装置によって実行される各プロセスを実行することに用いられてもよい。該ネットワーク装置は、送信ユニットと受信州ニットを備える。
【００５０】
端末装置へ測定配置情報を送信するように構成され、前記測定配置情報が測定待ちの複数の測定対象分類を含み、前記端末装置が前記測定配置情報に基づき、前記複数の測定対象分類に属する複数の測定対象を測定するようにする。
【００５１】
受信ユニットは前記端末装置から送信された測定レポートを送信するように構成され、前記測定レポートが前記複数の測定対象の中の報告条件を満たす測定対象の測定結果を含む。
【００５２】
選択可能に、第六の態様の一つの実施形態では、前記測定配置情報はさらに前記複数の測定対象分類に対応する複数の測定条件を含み、ここで、前記複数の測定対象が前記複数の測定対象のそれぞれの測定対象分類に対応する測定条件を満たす。
【００５３】
選択可能に、第六の態様の一つの実施形態では、前記端末装置が前記ネットワーク装置へ前記測定レポートを送信する前に、前記複数の測定対象の測定結果と前記複数の測定対象分類に対応する複数の報告条件に基づき、前記測定レポートを生成するように、前記測定配置情報はさらに前記複数の測定対象分類に対応する複数の報告条件を含む。
【００５４】
選択可能に、第六の態様の一つの実施形態では、前記複数の測定対象分類の間がプリセットの順序を満たし、前記順序が前記複数の測定対象の測定結果と前記複数の測定対象分類の順序に応じて、前記測定レポートに記入しようとする現在の測定対象分類を確定し、前記現在の測定対象分類に属する測定対象の測定結果が前記現在の測定対象分類に対応する報告条件を満たすか否かを確定するために前記端末装置によって用いられ、ここで、前記現在の測定対象分類における測定対象の測定結果が前記現在の測定対象分類に対応する報告条件を満たす場合、前記測定レポートに前記現在の測定対象分類における測定対象の測定結果が含まれ、しかも前記順序がさらに次の測定対象分類における測定対象の測定結果が前記次の測定対象分類に対応する報告条件を満たすか否かを確定するために前記端末装置によって用いられ、前記現在の測定対象分類における測定対象の測定結果が前記現在の測定対象分類に対応する報告条件を満たしていない場合、前記測定レポートに前記現在の測定対象分類における測定対象の測定結果が含まれなく、しかも前記順序がさらに前記測定レポートへの記入を停止するために前記端末装置によって用いられる。
【００５５】
選択可能に、第六の態様の一つの実施形態では、前記現在の測定対象分類に対応する報告条件は、前記現在の測定対象分類における測定対象の測定結果が第一のプリセット閾値より高く、又は前記現在の測定対象分類における測定対象の測定結果が前記第一のプリセット閾値より高く且つ第一のプリセット時間長で持続されること、前記現在の測定対象分類における測定対象の測定結果が第二のプリセット閾値より低く、又は前記現在の測定対象分類における測定対象の測定結果が前記第二のプリセット閾値より低く且つ第二のプリセット時間長で持続されること、前記現在の測定対象分類における測定対象の測定結果がプリセット範囲にあり、又は前記現在の測定対象分類における測定対象の測定結果が前記プリセット範囲にあり且つ第三のプリセット時間長で持続されること、前記現在の測定対象分類における測定対象が現在の測定対象分類における複数の測定対象のうちの測定結果が最も高いｎ個の測定対象であり、又は前記現在の測定対象分類における測定対象が前記測定結果の最も高いｎ個の測定対象であり且つ第四のプリセット時間長で持続され、ｎが正整数であること、前記現在の測定対象分類における測定対象が現在の測定対象分類における複数の測定対象のうちの測定結果が最も低いｍ個の測定対象であり、又は前記現在の測定対象分類における測定対象が前記測定結果の最も低いｍ個の測定対象であり且つ第五のプリセット時間長で持続され、ｍが正整数であること、前記測定レポート送信時刻がプリセットの報告周期を満たすことのうちの少なくとも一つを含む。
【００５６】
選択可能に、第六の態様の一つの実施形態では、前記次の測定対象分類に対応する報告条件は、前記端末装置が測定により前記次の測定対象分類における測定対象の測定結果を取得することができること、前記次の測定対象分類における測定対象の測定結果が第一のプリセット閾値より高く、又は前記次の測定対象分類における測定対象の測定結果が前記第一のプリセット閾値より高く且つ第一のプリセット時間長で持続されること、前記次の測定対象分類における測定対象の測定結果が第二のプリセット閾値より低く、又は前記次の測定対象分類における測定対象の測定結果が前記第二のプリセット閾値より低く且つ第二のプリセット時間長で持続されること、前記次の測定対象分類における測定対象の測定結果がプリセット範囲にあり、又は前記次の測定対象分類における測定対象の測定結果が前記プリセット範囲にあり且つ第三のプリセット時間長で持続されること、前記次の測定対象分類における測定対象が前記次の測定対象分類における複数の測定対象のうちの測定結果が最も高いｎ個の測定対象であり、又は前記次の測定対象分類における測定対象が前記測定結果の最も高いｎ個の測定対象であり且つ第四のプリセット時間長で持続され、ｎが正整数であること、前記次の測定対象分類における測定対象が前記次の測定対象分類における複数の測定対象のうちの測定結果が最も低いｍ個の測定対象であり、又は前記次の測定対象分類における測定対象が前記測定結果の最も低いｍ個の測定対象であり且つ第五のプリセット時間長で持続され、ｍが正整数であることのうちの少なくとも一つを含む。
【００５７】
選択可能に、第六の態様の一つの実施形態では、前記複数の測定対象分類はネットワーク装置、周波数ポイント、セルとビームのうちの少なくとも２つを含む。
【００５８】
選択可能に、第六の態様の一つの実施形態では、前記測定は信号受信電力測定、信号受信品質測定、信号受信強度測定と信号干渉レベル測定のうちの少なくとも一つを含む。
【００５９】
選択可能に、第六の態様の一つの実施形態では、前記送信ユニットは無線リソース制御（ＲＲＣ）層、メディアアクセス制御（ＭＡＣ）層又は物理層を介して前記端末装置へ前記測定配置情報を送信するように構成される。
【００６０】
第七の態様によるネットワーク装置は、前記第五の態様及び様々な実施形態における測定方法のネットワーク装置によって実行される各プロセスを実行することに用いられてもよい。該ネットワーク装置はプロセッサ、受信機と送信機を備える。前記送受信機は、前記端末装置が前記測定配置情報に基づき、前記複数の測定対象分類に属する複数の測定対象を測定するように、端末装置へ測定配置情報を送信するように構成され、前記測定配置情報が測定待ちの複数の測定対象分類を含み、受信機は、前記端末装置から送信された測定レポートを受信するように構成され、前記測定レポートが前記複数の測定対象の中の報告条件を満たす測定対象の測定結果を含む。
【００６１】
第八の態様によるコンピュータ可読記憶媒体は、ネットワーク装置に上記第五の態様、及びその様々な実施形態のいずれかの測定方法を実行させるためのプログラムを記憶する。
【００６２】
本発明の実施例による測定方法では、端末装置は評価された複数の測定対象の測定結果をネットワーク装置に報告することにより、ネットワーク装置に豊かな補助情報を提供し、高性能の無線リソース管理のニーズを満たす。
【図面の簡単な説明】
【００６３】
【図１】本発明の実施例の一つの応用シーンを示す概略アーキテクチャ。
【図２】本発明の実施例による測定方法のプロセスインターラクション図である。
【図３】本発明の実施例による端末装置の構造ブロック図である。
【図４】本発明の実施例による端末装置の構造ブロック図である。
【図５】本発明の実施例によるシステムチップの概略構造図である。
【図６】本発明の実施例によるネットワーク装置の構造ブロック図である。
【図７】本発明の実施例によるネットワーク装置の構造ブロック図である。
【図８】本発明の実施例によるシステムチップの概略構造図である。
【発明を実施するための形態】
【００６４】
以下に図面を組み合わせながら本発明の実施例における技術的解決策を説明する。
【００６５】
理解すべきものとして、本発明の実施例の技術的解決策は様々な通信システム、例えばグローバルモバイル通信（Ｇｌｏｂａｌ  Ｓｙｓｔｅｍ  ｏｆ  Ｍｏｂｉｌｅ  Ｃｏｍｍｕｎｉｃａｔｉｏｎ：「ＧＳＭ」と略称）システム、符号分割多元アクセス（Ｃｏｄｅ  Ｄｉｖｉｓｉｏｎ  Ｍｕｌｔｉｐｌｅ  Ａｃｃｅｓｓ：「ＣＤＭＡ」と略称）システム、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、長期進化型（Ｌｏｎｇ  Ｔｅｒｍ  Ｅｖｏｌｕｔｉｏｎ：「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ：「ＦＤＤ」と略称）システム、ＬＴＥ時分割複信（Ｔｉｍｅ  Ｄｉｖｉｓｉｏｎ  Ｄｕｐｌｅｘ：「ＴＤＤ」と略称）、汎用移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：「ＵＭＴＳ」と略称）、及び将来の５Ｇ通信システムなどに応用されてもよい。
【００６６】
本発明は端末装置と組み合わせて各実施例を説明する。端末装置はユーザ装置（Ｕｓｅｒ  Ｅｑｕｉｐｍｅｎｔ：「ＵＥ」と略称）、アクセス端末、加入者ユニット、加入者局、移動局、移動ステーション、遠隔局、遠隔端末、移動装置、ユーザ端末、端末、無線通信装置、ユーザエージェント又はユーザ装置を指すこともできる。アクセス端末はセルラー電話、コードレス電話、セッション開始プロトコル（Ｓｅｓｓｉｏｎ  Ｉｎｉｔｉａｔｉｏｎ  Ｐｒｏｔｏｃｏｌ：「ＳＩＰ」と略称）電話、無線ローカルループ（Ｗｉｒｅｌｅｓｓ  Ｌｏｃａｌ  Ｌｏｏｐ：「ＷＬＬ」と略称）サイト、パーソナルデジタル処理（Ｐｅｒｓｏｎａｌ  Ｄｉｇｉｔａｌ  Ａｓｓｉｓｔａｎｔ：「ＰＤＡ」と略称）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化したＰＬＭＮネットワークにおける端末装置などであってもよい。
【００６７】
本発明はネットワーク装置と組み合わせて各実施例を説明する。ネットワーク装置は端末装置と通信するための装置であってもよく、例えばＧＳＭシステム又はＣＤＭＡにおける基地局（Ｂａｓｅ  Ｔｒａｎｓｃｅｉｖｅｒ  Ｓｔａｔｉｏｎ：「ＢＴＳ」と略称）であってもよいし、ＷＣＤＭＡシステムにおける基地局（ＮｏｄｅＢ：「ＮＢ」と略称）であってもよいし、ＬＴＥシステムにおける進化型基地局（Ｅｖｏｌｕｔｉｏｎａｌ  Ｎｏｄｅ  Ｂ：「ｅＮＢ又はｅＮｏｄｅＢ」と略称）であってもよく、又は該ネットワーク装置は中継局、アクセスポイント、車載デバイス、ウェアラブルデバイス及び将来の５Ｇネットワークにおけるネットワーク側装置又は将来の進化したＰＬＭＮネットワークにおけるネットワーク装置などであってもよい。
【００６８】
図１は本発明の実施例の一つの応用シーンを示す概略図である。図１における通信システムはネットワーク装置１０と端末装置２０を備えることができる。ネットワーク装置１０は端末装置２０に通信サービスを提供することに用いられ且つコアネットワークにアクセスし、端末装置２０はネットワーク装置１０から送信された同期信号、ブロードキャスト信号などを検索してネットワークにアクセスし、それによってネットワークとの通信を行う。図１に示す矢印は端末装置２０とネットワーク装置１０の間のセルラーリンクによるアップリンク／ダウンリンク送信を表すことができる。
【００６９】
本発明の実施例におけるネットワークは公衆陸上モバイルネットワーク（Ｐｕｂｌｉｃ  Ｌａｎｄ  Ｍｏｂｉｌｅ  Ｎｅｔｗｏｒｋ：「ＰＬＭＮ」と略称）又はデバイスツデバイス（Ｄｅｖｉｃｅ  ｔｏ  Ｄｅｖｉｃｅ：「Ｄ２Ｄ」と略称）ネットワーク装置又はマシンツマシン／マン（Ｍａｃｈｉｎｅ  ｔｏ  Ｍａｃｈｉｎｅ／Ｍａｎ：「Ｍ２Ｍ」と略称）ネットワーク又は他のネットワークを指すことができ、図１は例の概略図であるだけであるが、ネットワークにおいて他の端末装置が含まれてもよく、図１に示されない。
【００７０】
本発明の実施例では、端末装置は測定を行う時に、一つの測定対象分類のみに対して測定及び報告を毎度行うことができ、複数の測定対象分類に対して測定し、そして複数の測定対象分類の測定結果を報告することもできる。
【００７１】
図２は本発明の実施例による測定方法のプロセスインターラクション図である。図２にネットワーク装置と端末装置が示され、該ネットワーク装置は図１に示すネットワーク装置１０であってもよく、該端末装置は例えば図１に示す端末装置２０であってもよい。図２に示すように、パラメータ信号を伝送する具体的なプロセスは２１０〜２５０を含む。
【００７２】
２１０において、ネットワーク装置は端末装置へ測定配置情報を送信する。
【００７３】
ここで、該測定配置情報は測定待ちの複数の測定対象分類を含む。
【００７４】
選択可能に、ネットワーク装置が端末装置へ測定配置情報を送信することは、ネットワーク装置が無線リソース制御（Ｒａｄｉｏ  Ｒｅｓｏｕｒｃｅ  Ｃｏｎｔｒｏｌ：「ＲＲＣ」と略称）層、メディアアクセス制御（Ｍｅｄｉｕｍ  Ａｃｃｅｓｓ  Ｃｏｎｔｒｏｌ：「ＭＡＣ」と略称）層又は物理層を介して端末装置へ該測定配置情報を送信することを含む。
【００７５】
２２０において、端末装置はネットワーク装置から送信された測定配置情報を受信する。
【００７６】
具体的には、ネットワーク装置は測定配置情報を確定し、そして例えばＲＲＣ層シグナリング、ＭＡＣ層シグナリング又は物理層シグナリングなどの方式により、端末装置へ該測定配置情報を送信し、端末装置は該測定配置情報を受信した後、該測定配置情報に示される、送信待ちの複数の測定対象分類を測定し、条件を満たす測定結果をネットワーク装置に報告する。
【００７７】
選択可能に、該複数の測定対象分類はネットワーク装置、周波数ポイント、セル、伝送ポイントとビームのうちの少なくとも２つを含む。
【００７８】
例えば、測定対象分類が周波数ポイントであることを例とする場合、ネットワーク装置によって端末装置に配置された測定対象分類が一つの独立した周波数ポイントであり、独立した測定対象識別子（Ｉｄｅｎｔｉｔｙ：「ＩＤ」と略称）を有し、例えば進化したユニバーサル地上無線アクセス（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ：「Ｅ−ＵＭＴＳ」と略称）に対して、その中の汎用移動通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ：「ＵＭＴＳ」と略称）の同一周波数及び異周波数測定において、測定対象分類が一つの単一のＥ−ＵＴＲＡ搬送波周波数である。該搬送波周波数と関連するセルに対して、ネットワーク装置はセルオフセット（Ｏｆｆｓｅｔ）リストとブラックリストセルリストを配置することができ、測定評価及び測定レポートにおいてブラックリストセルリストにあるセルに対していかなる操作を行わない。
【００７９】
選択可能に、上記測定配置情報は例えば複数の測定対象分類、測定のタイプ（又は測定量と呼ばれる）、複数の測定対象分類のそれぞれの報告条件のうちの少なくとも一つを含むことができる。また、さらに測定識別子、測定間隔（Ｍｅａｓｕｒｅｍｅｎｔ  Ｇａｐ）、測定開始閾値と速度状態パラメータなどの他のパラメータを含むことができる。
【００８０】
選択可能に、該測定のタイプは例えば信号受信電力測定、信号受信品質測定、信号受信強度測定と信号干渉レベル測定のうちの少なくとも一つを含む。
【００８１】
選択可能に、該複数の測定対象分類は例えばネットワーク装置、周波数ポイント、セルとビームのうちの少なくとも２つを含むことができる。
【００８２】
ここで、該ネットワーク装置は基地局、伝送ポイント（Ｔｒａｎｓｍｉｓｓｉｏｎ  Ｒｅｆｅｒｅｎｃｅ  Ｐｏｉｎｔ：「ＴＲＰ」と略称）などを含むがこれらに限定されない。
【００８３】
２３０において、端末装置は該測定配置情報に基づき、該複数の測定対象分類に属する複数の測定対象を測定する。
【００８４】
具体的には、端末装置は測定配置情報における測定対象分類に基づき、これらの測定対象分類を測定し、そして測定結果を評価してネットワーク装置に送信し、又はネットワーク装置に直接送信する。
【００８５】
選択可能に、該測定配置情報はさらに該複数の測定対象分類に対応する複数の測定条件を含み、端末装置が該測定配置情報に基づき、該複数の測定対象分類に属する複数の測定対象を測定することは、端末装置が、該複数の測定対象が該複数の測定対象のそれぞれの測定対象分類に対応する測定条件を満たすことと、端末装置が該複数の測定対象に対して測定を行うこととを含む。
【００８６】
即ち、該複数の測定対象は該複数の測定対象のそれぞれの属する測定対象分類に対応する測定条件を満たす。
【００８７】
具体的には、端末装置は測定配置情報から測定待ちの複数の測定対象分類を取得し、同時に該測定対象分類のそれぞれに対応する測定条件を取得することができ、ある測定対象分類に属する測定対象が該測定対象分類に対応する測定条件を満たす場合、端末装置は該測定対象分類に属する該測定対象を測定する。該測定条件は例えば測定開始閾値又は開始測定閾値範囲などを含む。
【００８８】
例えば、測定対象分類にセルが含まれる場合、端末装置はサ―ビングセルでサービスを受け、サ―ビングセルの信号品質が良い場合、いかなる形態のモビリティ測定を行わなくてもよい。サ―ビングセルの信号品質がある程度低下し、測定条件例えば測定開始閾値に達する場合、端末装置は保存された測定識別子に基づいて同一周波数、異周波数、異技術などの全ての測定を自動的に開始することができる。該閾値が設定されない場合、端末装置はサ―ビングセルの信号品質を考えることなく、モビリティ測定を行うことができる。
【００８９】
選択可能に、端末装置は前記測定配置情報と該複数の測定対象分類の間の順序に基づいて現在の測定対象分類を確定し、そして現在の測定対象分類に属する測定対象が現在の測定対象分類に対応する測定条件を満たすか否かを確定することができる。現在の測定対象分類に属する測定対象が現在の測定対象分類に対応する測定条件を満たす場合、端末装置は現在の測定対象分類に属する測定対象を測定し、そして該順序に従って、次の測定対象分類を確定し、そして次の測定対象分類に属する測定対象が次の測定対象分類に対応する測定条件を満たすか否かを確定し、現在の測定対象分類に属する測定対象が現在の測定対象分類に対応する測定条件を満たしていない場合、端末装置は測定を停止する。
【００９０】
例えば、複数の測定対象分類に周波数ポイントとセルが含まれると仮定する場合、複数の測定対象の順序に従って、端末装置はまず複数の周波数ポイントにおいて測定条件を満たす周波数ポイントを確定することができ、例えばここでの測定条件が、該測定対象が該測定対象分類における複数の測定対象のうちの測定結果が最も高い測定対象であることであってもよく、該測定結果が信号受信品質であってもよい。端末装置は複数の測定周波数ポイントのうちの信号受信品質が最も高い該周波数ポイントに基づき、該測定対象分類間の順序に従って、次の測定対象分類即ちセルに対して測定を行う。現在セル１、セル２とセル３が存在し、且つ次の測定対象分類に対応する測定条件が、信号受信品質がプリセットの閾値より高いことであり、セル１とセル２の測定結果がいずれも該閾値より高いという測定条件を満たしていなく且つセル３の測定結果が該閾値より高いと仮定する場合、端末装置は該周波数ポイントでセル３に対する測定を開始する。
【００９１】
複数の測定対象分類の測定に対して複数の測定対象分類の間の順序を考えなくてもよく、例えばセル測定の測定結果に対して、多くの場合、該セルの複数のビームの測定結果によって評価し、ここで限定されない。
【００９２】
上記測定過程において、端末装置は測定間隔を用いることができ、該測定間隔が、端末装置の受信機の帯域幅がサービングセルの周波数と測定待ちセルの周波数とを同時にカバーするのに不十分である時に、一定の間隔で測定待ちセルを測定することに用いられる。異周波数ポイントは端末装置に異なる能力を与えるため、時々測定間隔の補助によって測定される必要があり、同一周波数測定は測定待ち中心周波数ポイントがサ―ビングセルの中心周波数ポイントであるため、間隔を用いる必要がない。
【００９３】
２４０において、端末装置はネットワーク装置へ測定レポートを送信する。
【００９４】
ここで、該測定レポートは該複数の測定対象の中の報告条件を満たす測定対象の測定結果を含む。
【００９５】
具体的には、端末装置は複数の測定対象分類に属する複数の測定対象を測定した後、該複数の測定対象分類における各測定対象分類に対応する報告条件に応じて、ネットワーク装置へ該測定対象分類に属する測定対象の測定結果を報告するか否かを確定することができる。該測定対象分類に属する測定対象の測定結果が該測定対象分類に対応する報告条件を満たす場合、端末装置はネットワーク装置へ該報告条件を満たす測定対象の測定結果を報告し、該測定対象分類に属する測定対象の測定結果が該測定対象分類に対応する報告条件を満たしていない場合、端末装置はネットワーク装置へ該測定対象の測定結果を送信しない。例えば、端末装置は複数の測定対象分類に属する複数の測定対象の中の報告条件を満たす測定対象の測定結果を測定レポートに記入し、そして該測定報告をネットワーク装置に送信することができる。
【００９６】
ここで、該測定レポートの内容は報告条件を満たす測定対象の測定結果を含むことができ、さらに測定識別子と測定のタイプなどの情報を含むことができる。ネットワーク装置は該識別子により、それ自体で記憶された測定配置情報から今回の報告に対応する周波数ポイント、測定条件などの内容を知ることができる。
【００９７】
測定対象分類にセルが含まれる場合、該測定レポートはさらに測定された隣接セルリストを含むことができ、隣接セルリストに物理セル識別子、該セルに対応する結果、セル識別子、追跡エリアコードと公衆陸上移動ネットワーク（Ｐｕｂｌｉｃ  Ｌａｎｄ  Ｍｏｂｉｌｅ  Ｎｅｔｗｏｒｋ：「ＰＬＭＮ」と略称）リストが含まれる。測定レポートへの記入が完了された後、端末装置は例えばＲＲＣ層を介して測定レポートを下位層に送信してネットワーク装置に伝送することができる。
【００９８】
選択可能に、該測定配置情報はさらに複数の測定対象分類に対応する複数の報告条件を含み、端末装置がネットワーク装置へ測定レポートを送信する前に、該方法はさらに端末装置が複数の測定対象の測定結果と複数の測定対象分類に対応する複数の報告条件に基づき、該測定レポートを生成することを含む。
【００９９】
具体的には、端末装置は測定された該複数の測定対象の測定結果に基づき、複数の測定対象分類に対応する複数の報告条件と組み合わせ、各測定対象の測定結果がそれが属する測定対象分類に対応する報告条件を満たすか否かを確定することができ、対応する該報告条件を満たしている場合、該測定対象の測定結果を測定レポートに記入し、そうでない場合、該測定レポートに記入しない。
【０１００】
選択可能に、現在の測定対象分類に対応する報告条件は、前記現在の測定対象分類における測定対象の測定結果が第一のプリセット閾値より高く、又は現在の測定対象分類における測定対象の測定結果が該第一のプリセット閾値より高く且つ第一のプリセット時間長で持続されること、現在の測定対象分類における測定対象の測定結果が第二のプリセット閾値より低く、又は現在の測定対象分類における測定対象の測定結果が該第二のプリセット閾値より低く且つ第二のプリセット時間長で持続されること、現在の測定対象分類における測定対象の測定結果がプリセット範囲にあり、又は現在の測定対象分類における測定対象の測定結果がプリセット範囲にあり且つ第三のプリセット時間長で持続されること、現在の測定対象分類における測定対象が現在の測定対象分類における複数の測定対象のうちの測定結果が最も高いｎ個の測定対象であり、又は現在の測定対象分類における測定対象が測定結果の最も高いｎ個の測定対象であり且つ第四のプリセット時間長で持続され、ｎが正整数であること、現在の測定対象分類における測定対象が現在の測定対象分類における複数の測定対象のうちの測定結果が最も低いｍ個の測定対象であり、又は現在の測定対象分類における測定対象が測定結果の最も低いｍ個の測定対象であり且つ第五のプリセット時間長で持続され、ｍが正整数であること、該測定レポート送信時刻がプリセットの報告周期を満たすことのうちの少なくとも一つを含む。
【０１０１】
選択可能に、該次の測定対象分類に対応する報告条件は、端末装置が測定により次の測定対象分類における測定対象の測定結果を取得することができること、次の測定対象分類における測定対象の測定結果が第一のプリセット閾値より高く、又は次の測定対象分類における測定対象の測定結果が該第一のプリセット閾値より高く且つ第一のプリセット時間長で持続されること、該次の測定対象分類における測定対象の測定結果が第二のプリセット閾値より低く、又は該次の測定対象分類における測定対象の測定結果が該第二のプリセット閾値より低く且つ第二のプリセット時間長で持続されること、該次の測定対象分類における測定対象の測定結果がプリセット範囲にあり、又は前記次の測定対象分類における測定対象の測定結果がプリセット範囲にあり且つ第三のプリセット時間長で持続されること、前記次の測定対象分類における測定対象が前記次の測定対象分類における複数の測定対象のうちの測定結果が最も高いｎ個の測定対象であり、又は前記次の測定対象分類における測定対象が前記測定結果の最も高いｎ個の測定対象であり且つ第四のプリセット時間長で持続され、ｎが正整数であること、前記次の測定対象分類における測定対象が前記次の測定対象分類における複数の測定対象のうちの測定結果が最も低いｍ個の測定対象であり、又は前記次の測定対象分類における測定対象が前記測定結果の最も低いｍ個の測定対象であり且つ第五のプリセット時間長で持続され、ｍが正整数であることのうちの少なくとも一つを含む。
【０１０２】
ここでの報告条件は例えばイベントトリガ報告、周期的トリガ報告とイベントトリガ周期的報告という３つのタイプに分けられてもよい。ここで、イベントトリガ報告を示すための報告条件が測定タイプと閾値を含むことができ、周期的トリガ報告を示すための報告条件が報告周期と周期的トリガの目的を含むことができ、イベントトリガ周期的報告を示すための報告条件が測定タイプ、閾値、及び該閾値を満たし且つ持続できる時間長を含むことができる。
【０１０３】
測定対象分類がセルであると仮定する場合、該測定対象分類に対応する報告条件は、例えば（１）報告条件Ａ１：サ―ビングセルのチャネル品質が閾値より大きく、又はサ―ビングセルのチャネル品質が閾値より大きく且つプリセット時間長で持続されること、（２）報告条件Ａ２：サ―ビングセルのチャネル品質が閾値より小さく、又はサ―ビングセルのチャネル品質が閾値より小さく且つプリセット時間長で持続されること、（３）報告条件Ａ３：隣接セルのチャネル品質とオフセット量がサ―ビングセルのチャネル品質に優れ、又は隣接セルのチャネル品質とオフセット量がサ―ビングセルのチャネル品質に優れ且つプリセット時間長で持続されること、（４）報告条件Ａ４：隣接セルのチャネル品質が閾値より大きく、又は隣接セルのチャネル品質が閾値より大きく且つプリセット時間長で持続されること、（５）報告条件Ａ５：サ―ビングセルのチャネル品質が第一の閾値より小さく、同時に隣接セルのチャネル品質が第二の閾値より大きく、又はサ―ビングセルのチャネル品質が第一の閾値より小さく、同時に隣接セルのチャネル品質が第二の閾値より大きく且つプリセット時間長で持続されることの５つのタイプを含むことができる。
【０１０４】
報告条件がイベントトリガ報告である場合、報告条件が上記Ａ１〜Ａ５のいずれかの一つの報告を含むことができ、該報告条件に対応する報告回数が１に等しく、該報告条件に対応する報告間隔がどの値に設定されるかに関わらず、端末装置によって無視されてもよい。
【０１０５】
報告条件が周期的報告である場合、報告条件が報告周期と報告目的を含むことができ、ここで報告目的がセルグローバル識別子（Ｃｅｌｌ  Ｇｌｏｂａｌ  Ｉｄｅｎｔｉｆｉｅｒ：「ＣＧＩ」と略称）レポート（ｒｅｐｏｒｔ  ＣＧＩ）と最適セルレポート（ｒｅｐｏｒｔ  Ｓｔｒｏｎｇｅｓｔ  Ｃｅｌｌ）を含む。端末装置は測定配置情報に従って、測定レポートの記入を行い、そして所定の報告周期に従ってネットワーク装置へ測定レポートを送信することができる。報告目的がＣＧＩレポート（ｒｅｐｏｒｔ  ＣＧＩ）である場合、該報告条件に対応する報告回数が１に等しく、報告目的が最適セルレポート（ｒｅｐｏｒｔ  Ｓｔｒｏｎｇｅｓｔ  Ｃｅｌｌ）である場合、該報告条件に対応する報告回数が１より大きくてもよい。例えば、端末装置にＣＧＩレポート（ｒｅｐｏｒｔ  ＣＧＩ）を目的とする報告が配置される場合、端末装置は一つのタイマーを起動して報告時間を確定することができ、ネットワーク装置が隣接セルリストを構成するために必要な情報をできるだけ速く取得することができるように、タイマーがタイムアウトする前に報告に必要な内容を取得した場合、端末装置はタイマーを停止して報告を予め開始することができる。
【０１０６】
報告条件がイベントトリガ周期的報告である場合、報告条件がＡ１〜Ａ５のいずれかの一つの報告を含むことができ、該報告条件に対応する報告回数がターゲット値に等しく、該報告条件に対応する報告間隔が有効であり、ネットワーク装置は設定された間隔パラメータに従ってタイマーを設定する。測定結果がネットワークに設定された報告条件を満たし、即ち測定結果がプリセット閾値に達し且つ一定期間持続した場合、後の測定待ち測定対象に対する評価をトリガすることができ、後の測定待ち測定対象の測定結果もそれぞれの報告条件を満たす場合、端末装置はネットワーク装置へ複数の測定対象の測定結果を送信し、この時、上記方式に従って複数の測定対象を複数回測定することを実現するための該タイマーを起動し、そして回数を測定するためのカウンタを起動し、端末装置の報告回数がターゲット値に達するまでプロセスを終了する。対応する報告方式は、報告条件のタイプが上記Ａ１〜Ａ５のいずれかの一つであること、報告回数が１より大きいこと、報告間隔が有効であること、ネットワーク装置が設定された間隔パラメータに従って報告周期タイマーを設定することであってもよい。
【０１０７】
複数の測定対象分類にセルが含まれ、報告条件がイベントトリガ報告である場合、端末装置は報告されるセルリスト変数を保存し、その後の測定において該リストにおけるセルが保存条件を満たしていない場合、該セルをリストから削除することができ、新しいセルが条件を満たしている場合、これらのセルが該リストに追加されてもよい。
【０１０８】
選択可能に、端末装置が該複数の測定対象の測定結果と該複数の測定対象分類に対応する複数の報告条件に基づき、該測定レポートを生成することは、端末装置が該複数の測定対象の測定結果と該複数の測定対象分類の順序に応じて、該測定レポートに記入しようとする現在の測定対象分類を確定することと、現在の測定対象分類に属する測定対象の測定結果が現在の測定対象分類に対応する報告条件を満たすか否かを判定することと、現在の測定対象分類における測定対象の測定結果が現在の測定対象分類に対応する報告条件を満たす場合、端末装置が現在の測定対象分類における測定対象の測定結果を該測定レポートに記入し、そして該順序に従って、次の測定対象分類を確定し、そして該次の測定対象分類に属する測定対象の測定結果が該次の測定対象分類に対応する報告条件を満たすか否かを確定することと、現在の測定対象分類における測定対象の測定結果が現在の測定対象分類に対応する報告条件を満たしていない場合、端末装置が該測定レポートへの記入を停止することとを含む。
【０１０９】
該実施例では、端末装置は複数の測定対象分類に属する複数の測定対象の測定結果を報告する時に、該複数の測定対象分類の間の順序（又は評価順序として理解されもよい）に従って、複数の測定対象分類の測定結果を評価し、複数の測定対象の中の測定レポートに記入しようとする測定対象の測定結果を確定し、そして測定レポートへの記入が完了された後にネットワーク装置へ該測定レポートを送信することができる。
【０１１０】
該複数の測定対象分類に含まれるいずれかの２つの測定対象分類を例とする場合、端末装置は複数の測定対象分類の順序に従って、複数の測定対象分類を評価する。まず１番目の測定対象分類に属する測定対象を報告するか否かを確定する。１番目の測定対象分類に属する測定対象の測定結果が１番目の測定対象分類に対応する測定条件を満たす場合、端末装置は該１番目の測定対象分類に属する測定対象の測定結果を該測定レポートに記入し、そして２番目の測定対象分類に属する測定対象が２番目の測定対象分類に対応する報告条件を満たすか否かを判定（又は評価）する。２番目の測定対象分類に属する測定対象が２番目の測定対象分類に対応する報告条件を満たす場合、端末装置は該２番目の測定対象分類に属する測定対象の測定結果を該測定レポートに記入する。
【０１１１】
端末装置が該１番目の測定対象分類に属する測定対象を評価した後、１番目の測定対象分類における測定対象の測定結果が１番目の測定対象分類に対応する報告条件を満たしていないことを確定した場合、端末装置は該１番目の測定対象分類における測定対象の測定結果を測定レポートに記入せず、そして２番目の測定対象分類における測定対象を継続的に評価しない。
【０１１２】
即ち、２番目の測定対象分類に属する測定対象の測定結果が２番目の測定対象分類に対応する報告条件を満たしているか否かに関わらず、１番目の測定対象分類に属する測定対象の測定結果が１番目の測定対象分類に対応する報告条件さえ満たさなければ、端末装置は２番目の測定対象分類における測定対象を評価しない。
【０１１３】
端末装置は、条件を満たす全ての測定対象の測定結果が測定レポートに記入されるまで、複数の測定対象分類の順序に基づき、上記方式に従って複数の測定対象分類に属する複数の測定対象を順次評価し、その後ネットワーク装置へ該測定レポートを送信する。
【０１１４】
複数の測定対象分類に含まれるいずれかの２つの測定対象分類を例とする場合、該複数の測定対象分類が測定対象分類Ａと測定対象分類Ｂを含み、そして測定対象分類Ａの順序が測定対象分類Ｂの前に位置すると仮定する。そうすると、測定された測定対象分類Ａの測定結果がプリセット閾値Ａの要求を満たする時に、測定された測定対象分類Ｂの測定結果がプリセット閾値Ｂの要求を満たす場合、端末装置は測定対象分類Ａと測定対象分類Ｂの測定結果をネットワーク装置に報告し、又は、測定対象分類Ａの測定結果がプリセット閾値Ａの要求を満たし且つ一定の時間Ｔ１持続する時に、測定対象分類Ｂの測定結果がプリセット閾値Ｂの要求を満たす場合、端末装置は測定対象分類Ａと測定対象分類Ｂの測定結果をネットワーク装置に報告し、測定されたある対象Ａの測定結果がプリセットの条件Ａを満たす時に、測定された別の対象Ｂの測定結果がプリセットの条件Ｂを満たし且つ一定の時間Ｔ２持続する場合、端末はＡとＢの測定結果をネットワーク装置に報告し、又は、測定対象分類Ａの測定結果がプリセット閾値Ａの要求を満たし且つ一定の時間Ｔ１持続する時に、測定対象分類Ｂの測定結果がプリセット閾値Ｂの要求を満たし且つ一定の時間Ｔ２持続する場合、端末装置は測定対象分類Ａと測定対象分類Ｂの測定結果をネットワーク装置に報告する。
【０１１５】
２５０において、ネットワーク装置は端末装置から送信された該複数の測定対象の測定結果を受信する。
【０１１６】
具体的には、端末装置は複数の測定対象に対する測定を完了した後、ネットワーク装置へ複数の測定対象の測定結果を送信し、ネットワーク装置は該複数の測定対象の測定結果を受信した後、該複数の測定対象の測定結果に基づき、伝送リソースを管理及びスケジューリングすることができ、例えば該複数の測定対象の測定結果が隣接セル関係リストをハンドオーバ又は改善するためにネットワーク装置によって用いられてもよい。
【０１１７】
以下に２つの詳細な例で本発明の実施例の端末が測定する方法を具体的に説明する。
【０１１８】
端末装置がネットワーク装置から送信された測定配置情報を受信した後、それ自体の測定対象をセルとビームとして取得すると仮定し、測定対象分類の順序に応じて、セルがビームの前の位置に位置すると仮定する場合、１番目の測定対象分類がセルであり、２番目の測定対象分類がビームである。端末装置はさらに測定配置情報から、セルとビームに対する測定の測定タイプが受信電力測定であり、セル測定に対する報告条件が測定結果がプリセット閾値Ａより高いことであり、ビーム測定に対する報告条件が測定結果がプリセット範囲［Ｂ，Ｃ］に位置し且つプリセット時間長Ｔ１持続することであることを取得することができる。
【０１１９】
端末装置はまずセル測定の測定結果を評価し、現在セル１、セル２とセル３が測定され、且つセル１とセル２の測定結果がいずれもプリセット閾値Ａより小さく、セル３の測定結果がプリセット閾値Ａより大きい場合、端末装置はセル３の信号受信電力を測定レポートに記入し、次にセル３のビームを測定し、セル３の複数のビームを測定した後に信号受信電力がプリセットの範囲［Ｂ，Ｃ］に位置し且つプリセット時間長Ｔ１持続するというビームを取得する場合、端末装置は、複数のビームにおける信号受信電力がプリセットの範囲［Ｂ，Ｃ］に位置し且つプリセット時間長Ｔ１持続するビームの測定結果を測定レポートに記入し、そして該測定レポートをネットワーク装置に送信する。
【０１２０】
また、例えば、端末装置の測定対象がセル、ビームとネットワーク装置であると仮定し、測定対象分類の順序に応じて、セルが１番目に位置し、ビームとネットワーク装置が２番目に位置すると仮定し、セル、ビームとネットワーク装置の測定の測定タイプが信号干渉レベル測定であり、セル測定に対する報告条件が測定結果がプリセット閾値Ｄより低く且つプリセット時間Ｔ２持続することであり、ビーム測定に対する報告条件が測定結果がプリセット閾値Ｅより低いことであり、ネットワーク装置の測定に対する報告条件が測定結果がプリセット閾値Ｆより低いことである。
【０１２１】
該順序に応じて、端末装置はまずセルを測定し、現在セル１、セル２とセル３が測定され、且つセル１とセル２の測定結果がいずれもプリセット閾値Ａより小さく、セル３の測定結果がプリセット閾値Ａより大きい場合、端末装置はセル３の信号受信電力を測定レポートに記入し、次にセル３のビームとネットワーク装置を評価する。ここでのネットワーク装置は基地局又は伝送ポイントを備えることができ、端末装置はセル３内の伝送ポイント１と伝送ポイント２を測定し、そして伝送ポイント１の測定結果がプリセット閾値Ｆより低く、伝送ポイント２の測定結果がプリセット閾値Ｆより高く、端末装置は伝送ポイント１の測定結果を測定レポートに記入する。端末装置がセル３内の複数のビームを測定して測定結果がプリセット閾値Ｅより低いというビームを取得した場合、端末装置は複数のビームにおける測定結果がプリセット閾値Ｅより低いビームの測定結果を測定レポートに記入する。その後、端末装置は該測定レポートをネットワーク装置に送信し、該測定レポートにセルの測定結果、条件を満たすビームの測定結果と伝送ポイント１の測定結果が含まれる。
【０１２２】
本発明の実施例では、端末装置は評価された複数の測定対象分類の測定結果をネットワーク装置に報告することにより、ネットワーク装置に豊かな補助情報を提供し、高性能の無線リソース管理のニーズを満たす。
【０１２３】
本発明の様々な実施例では、上記各プロセスの番号の大きさが実行順序を意味せず、各プロセスの実行順序はその機能と内部論理で確定されるべきであり、本発明の実施例の実施プロセスのいかなる限定を構成すべきではないと理解すべきである。
【０１２４】
図３は本発明の実施例による端末装置３００を示す概略ブロック図である。図３に示すように、該端末装置３００は受信ユニット３１０、測定ユニット３２０と送信ユニット３３０を備える。
【０１２５】
受信ユニット３１０は、ネットワーク装置から送信された測定配置情報を受信するように構成され、前記測定配置情報が測定待ちの複数の測定対象分類を含む。
【０１２６】
測定ユニット３２０は、前記測定配置情報に基づき、前記複数の測定対象分類に属する複数の測定対象を測定するように構成される。
【０１２７】
送信ユニット３３０は前記ネットワーク装置へ測定レポートを送信するように構成され、前記測定レポートが前記複数の測定対象の中の報告条件を満たす測定対象の測定結果を含む。
【０１２８】
本発明の実施例では、端末装置は評価された複数の測定対象分類の測定結果をネットワーク装置に報告することにより、ネットワーク装置に豊かな補助情報を提供し、高性能の無線リソース管理のニーズを満たす。
【０１２９】
選択可能に、前記測定配置情報はさらに前記複数の測定対象分類に対応する複数の測定条件を含み、ここで、前記端末装置が前記測定配置情報に基づき、前記複数の測定対象分類に属する複数の測定対象を測定することは、前記端末装置が、前記複数の測定対象が前記複数の測定対象のそれぞれの測定対象分類に対応する測定条件を満たすことを確定することと、前記端末装置が前記複数の測定対象に対して前記測定を行うこととを含む。
【０１３０】
選択可能に、前記測定配置情報はさらに前記複数の測定対象分類に対応する複数の報告条件を含み、ここで、前記測定ユニット３２０はさらに、
前記送信ユニット３３０が前記ネットワーク装置へ測定レポートを送信する前に、前記複数の測定対象の測定結果と前記複数の測定対象分類に対応する複数の報告条件に基づき、前記測定レポートを生成するように構成される。
【０１３１】
選択可能に、前記測定ユニット３２０は具体的に前記複数の測定対象の測定結果と前記複数の測定対象分類の順序に応じて、前記測定レポートに記入しようとする現在の測定対象分類を確定し、前記現在の測定対象分類に属する測定対象の測定結果が前記現在の測定対象分類に対応する報告条件を満たすか否かを確定し、前記現在の測定対象分類における測定対象の測定結果が前記現在の測定対象分類に対応する報告条件を満たす場合、前記現在の測定対象分類における測定対象の測定結果を前記測定レポートに記入し、そして前記順序に従って、次の測定対象分類を確定し、そして前記次の測定対象分類に属する測定対象の測定結果が前記次の測定対象分類に対応する報告条件を満たすか否かを確定し、前記現在の測定対象分類における測定対象の測定結果が前記現在の測定対象分類に対応する報告条件を満たしていない場合、前記測定レポートへの記入を停止するように構成される。
【０１３２】
選択可能に、前記現在の測定対象分類に対応する報告条件は、前記現在の測定対象分類における測定対象の測定結果が第一のプリセット閾値より高く、又は前記現在の測定対象分類における測定対象の測定結果が前記第一のプリセット閾値より高く且つ第一のプリセット時間長で持続されること、前記現在の測定対象分類における測定対象の測定結果が第二のプリセット閾値より低く、又は前記現在の測定対象分類における測定対象の測定結果が前記第二のプリセット閾値より低く且つ第二のプリセット時間長で持続されること、前記現在の測定対象分類における測定対象の測定結果がプリセット範囲にあり、又は前記現在の測定対象分類における測定対象の測定結果が前記プリセット範囲にあり且つ第三のプリセット時間長で持続されること、前記現在の測定対象分類における測定対象が現在の測定対象分類における複数の測定対象のうちの測定結果が最も高いｎ個の測定対象であり、又は前記現在の測定対象分類における測定対象が前記測定結果の最も高いｎ個の測定対象であり且つ第四のプリセット時間長で持続され、ｎが正整数であること、前記現在の測定対象分類における測定対象が現在の測定対象分類における複数の測定対象のうちの測定結果が最も低いｍ個の測定対象であり、又は前記現在の測定対象分類における測定対象が前記測定結果の最も低いｍ個の測定対象であり且つ第五のプリセット時間長で持続され、ｍが正整数であること、前記測定レポート送信時刻がプリセットの報告周期を満たすことのうちの少なくとも一つを含む。
【０１３３】
選択可能に、前記次の測定対象分類に対応する報告条件は、前記端末装置が前記測定により前記次の測定対象分類における測定対象の測定結果を取得することができること、前記次の測定対象分類における測定対象の測定結果が第一のプリセット閾値より高く、又は前記次の測定対象分類における測定対象の測定結果が前記第一のプリセット閾値より高く且つ第一のプリセット時間長で持続されること、前記次の測定対象分類における測定対象の測定結果が第二のプリセット閾値より低く、又は前記次の測定対象分類における測定対象の測定結果が前記第二のプリセット閾値より低く且つ第二のプリセット時間長で持続されること、前記次の測定対象分類における測定対象の測定結果が前記プリセット範囲にあり、又は前記次の測定対象分類における測定対象の測定結果がプリセット範囲にあり且つ第三のプリセット時間長で持続されること、前記次の測定対象分類における測定対象が前記次の測定対象分類における複数の測定対象のうちの測定結果が最も高いｎ個の測定対象であり、又は前記次の測定対象分類における測定対象が前記測定結果の最も高いｎ個の測定対象であり且つ第四のプリセット時間長で持続され、ｎが正整数であること、前記次の測定対象分類における測定対象が前記次の測定対象分類における複数の測定対象のうちの測定結果が最も低いｍ個の測定対象であり、又は前記次の測定対象分類における測定対象が前記測定結果の最も低いｍ個の測定対象であり且つ第五のプリセット時間長で持続され、ｍが正整数であることのうちの少なくとも一つを含む。
【０１３４】
選択可能に、前記複数の測定対象分類はネットワーク装置、周波数ポイント、セルとビームのうちの少なくとも２つを含む。
【０１３５】
選択可能に、前記測定は、信号受信電力測定、信号受信品質測定、信号受信強度測定と信号干渉レベル測定のうちの少なくとも一つを含む。
【０１３６】
選択可能に、前記受信ユニット３１０は具体的に前記ネットワーク装置から無線リソース制御（ＲＲＣ）層、メディアアクセス制御（ＭＡＣ）層又は物理層を介して送信された前記測定配置情報を受信するように構成される。
【０１３７】
注意すべきものとして、本発明の実施例では、受信ユニット３１０は受信機によって実現されてもよく、送信ユニット３３０は送信機によって実現されてもよく、測定ユニット３２０はプロセッサによって実現されてもよい。図４に示すように、端末装置４００はプロセッサ４１０、送受信機４２０とメモリ４３０を備えることができる。ここで、送受信機４２０は受信機４２１と送信機４２２を含むことができ、メモリ４３０は複数の測定クラスなどの関連情報を記憶することに用いられてもよく、またプロセッサ４１０で実行されるコードなどを記憶することに用いられてもよい。ネットワーク装置４００における各構成要素はバスシステム４４０を介して結合され、ここでバスシステム４００がデータバス以外、電源バス、制御バスと状態信号バスなどを含む。
【０１３８】
ここで、受信機４２１はネットワーク装置から送信された測定配置情報を受信するように構成され、前記測定配置情報が測定待ちの複数の測定対象分類を含み、プロセッサ４１０は前記測定配置情報に基づき、前記複数の測定対象分類に属する複数の測定対象を測定するように構成され、送信機４２２は前記ネットワーク装置へ測定レポートを送信するように構成され、前記測定レポートが前記複数の測定対象の中の報告条件を満たす測定対象の測定結果を含む。
【０１３９】
選択可能に、前記測定配置情報がさらに前記複数の測定対象分類に対応する複数の測定条件を含み、ここで、前記端末装置が前記測定配置情報に基づき、前記複数の測定対象分類に属する複数の測定対象を測定することは、前記端末装置が、前記複数の測定対象が前記複数の測定対象のそれぞれの測定対象分類に対応する測定条件を満たすことを確定することと、前記端末装置が前記複数の測定対象に対して前記測定を行うこととを含む。
【０１４０】
選択可能に、前記測定配置情報がさらに前記複数の測定対象分類に対応する複数の報告条件を含み、ここで、前記プロセッサ４１０はさらに前記送信機４２２が前記ネットワーク装置へ測定レポートを送信する前に、前記複数の測定対象の測定結果と前記複数の測定対象分類に対応する複数の報告条件に基づき、前記測定レポートを生成するように構成される。
【０１４１】
選択可能に、前記プロセッサ４１０は具体的に前記複数の測定対象の測定結果と前記複数の測定対象分類の順序に応じて、前記測定レポートに記入しようとする現在の測定対象分類を確定し、前記現在の測定対象分類に属する測定対象の測定結果が前記現在の測定対象分類に対応する報告条件を満たすか否かを判定し、前記現在の測定対象分類における測定対象の測定結果が前記現在の測定対象分類に対応する報告条件を満たす場合、前記現在の測定対象分類における測定対象の測定結果を前記測定レポートに記入し、そして前記順序に従って、次の測定対象分類を確定し、そして前記次の測定対象分類に属する測定対象の測定結果が前記次の測定対象分類に対応する報告条件を満たすか否かを確定し、前記現在の測定対象分類における測定対象の測定結果が現在の測定対象分類に対応する報告条件を満たしていない場合、前記測定レポートへの記入を停止するように構成される。
【０１４２】
選択可能に、前記現在の測定対象分類に対応する報告条件は、前記現在の測定対象分類における測定対象の測定結果が第一のプリセット閾値より高く、又は前記現在の測定対象分類における測定対象の測定結果が前記第一のプリセット閾値より高く且つ第一のプリセット時間長で持続されること、前記現在の測定対象分類における測定対象の測定結果が第二のプリセット閾値より低く、又は前記現在の測定対象分類における測定対象の測定結果が前記第二のプリセット閾値より低く且つ第二のプリセット時間長で持続されること、前記現在の測定対象分類における測定対象の測定結果がプリセット範囲にあり、又は前記現在の測定対象分類における測定対象の測定結果が前記プリセット範囲にあり且つ第三のプリセット時間長で持続されること、前記現在の測定対象分類における測定対象が現在の測定対象分類における複数の測定対象のうちの測定結果が最も高いｎ個の測定対象であり、又は前記現在の測定対象分類における測定対象が前記測定結果の最も高いｎ個の測定対象であり且つ第四のプリセット時間長で持続され、ｎが正整数であること、前記現在の測定対象分類における測定対象が現在の測定対象分類における複数の測定対象のうちの測定結果が最も低いｍ個の測定対象であり、又は前記現在の測定対象分類における測定対象が前記測定結果の最も低いｍ個の測定対象であり且つ第五のプリセット時間長で持続され、ｍが正整数であること、前記測定レポート送信時刻がプリセットの報告周期を満たすことのうちの少なくとも一つを含む。
【０１４３】
選択可能に、前記次の測定対象分類に対応する報告条件は、前記端末装置が前記測定により前記次の測定対象分類における測定対象の測定結果を取得することができること、前記次の測定対象分類における測定対象の測定結果が第一のプリセット閾値より高く、又は前記次の測定対象分類における測定対象の測定結果が前記第一のプリセット閾値より高く且つ第一のプリセット時間長で持続されること、前記次の測定対象分類における測定対象の測定結果が第二のプリセット閾値より低く、又は前記次の測定対象分類における測定対象の測定結果が前記第二のプリセット閾値より低く且つ第二のプリセット時間長で持続されること、前記次の測定対象分類における測定対象の測定結果が前記プリセット範囲にあり、又は前記次の測定対象分類における測定対象の測定結果がプリセット範囲にあり且つ第三のプリセット時間長で持続されること、前記次の測定対象分類における測定対象が前記次の測定対象分類における複数の測定対象のうちの測定結果が最も高いｎ個の測定対象であり、又は前記次の測定対象分類における測定対象が前記測定結果の最も高いｎ個の測定対象であり且つ第四のプリセット時間長で持続され、ｎが正整数であること、前記次の測定対象分類における測定対象が前記次の測定対象分類における複数の測定対象のうちの測定結果が最も低いｍ個の測定対象であり、又は前記次の測定対象分類における測定対象が前記測定結果の最も低いｍ個の測定対象であり且つ第五のプリセット時間長で持続され、ｍが正整数であることのうちの少なくとも一つを含む。
【０１４４】
選択可能に、前記複数の測定対象分類はネットワーク装置、周波数ポイント、セルとビームのうちの少なくとも２つを含む。
【０１４５】
選択可能に、前記測定は、信号受信電力測定、信号受信品質測定、信号受信強度測定と信号干渉レベル測定のうちの少なくとも一つを含む。
【０１４６】
選択可能に、前記受信機４２１は具体的に前記ネットワーク装置から無線リソース制御（ＲＲＣ）層、メディアアクセス制御（ＭＡＣ）層又は物理層を介して送信された前記測定配置情報を受信するように構成される。
【０１４７】
図５は本発明の実施例によるシステムチップの概略構造図である。図５のシステムチップ５００は入力インタフェース５０１、出力インタフェース５０２、少なくとも一つのプロセッサ５０３、メモリ５０４を備え、前記入力インタフェース５０１、出力インタフェース５０２、前記プロセッサ５０３及びメモリ５０４がバス５０５を介して接続され、前記プロセッサ５０３が前記メモリ５０４でのコードを実行するように構成され、前記コードが実行される場合、前記プロセッサ５０３が図３に示す端末装置によって実行される方法を実現することができる。前記バス５０５は接続方式の一つの例だけであり、本発明の実施例では、前記入力インタフェース５０１、出力インタフェース５０２、前記プロセッサ５０３及びメモリ５０４はさらに他の方式により接続されてもよく、ここで限定されない。
【０１４８】
図６は本発明の実施例によるネットワーク装置６００の概略ブロック図である。図６に示すように、該ネットワーク装置６００は送信ユニット６１０と受信ユニット６２０を備える。
【０１４９】
送信ユニット６１０は、前記端末装置が前記測定配置情報に基づき、前記複数の測定対象分類に属する複数の測定対象を測定するように、端末装置へ測定配置情報を送信するように構成され、前記測定配置情報が測定待ちの複数の測定対象分類を含む。
【０１５０】
受信ユニット６２０は、前記端末装置から送信された測定レポートを送信するように構成され、前記測定レポートが前記複数の測定対象の中の報告条件を満たす測定対象の測定結果を含む。
【０１５１】
本発明の実施例では、ネットワーク装置は端末装置から送信された、評価された複数の測定対象の測定結果を受信することにより、
豊かな補助情報を取得し、高性能の無線リソース管理のニーズを満たす。
【０１５２】
選択可能に、前記複数の測定対象は前記複数の測定対象のそれぞれの測定対象分類に対応する測定条件を満たす。
【０１５３】
選択可能に、前記端末装置が前記ネットワーク装置へ前記測定レポートを送信する前に、前記複数の測定対象の測定結果と前記複数の測定対象分類に対応する複数の報告条件に基づき、前記測定レポートを生成するように、前記測定配置情報はさらに前記複数の測定対象分類に対応する複数の報告条件を含む。
【０１５４】
選択可能に、前記複数の測定対象分類の間がプリセットの順序を満たし、前記順序が前記複数の測定対象の測定結果と前記複数の測定対象分類の順序に応じて、前記測定レポートに記入しようとする現在の測定対象分類を確定し、前記現在の測定対象分類に属する測定対象の測定結果が前記現在の測定対象分類に対応する報告条件を満たすか否かを確定するために前記端末装置によって用いられ、ここで、前記現在の測定対象分類における測定対象の測定結果が前記現在の測定対象分類に対応する報告条件を満たす場合、前記測定レポートに前記現在の測定対象分類における測定対象の測定結果が含まれ、しかも前記順序がさらに次の測定対象分類における測定対象の測定結果が前記次の測定対象分類に対応する報告条件を満たすか否かを確定するために前記端末装置によって用いられ、前記現在の測定対象分類の測定対象の測定結果が前記現在の測定対象分類に対応する報告条件を満たしていない場合、前記測定レポートに前記現在の測定対象分類における測定対象の測定結果が含まれなく、しかも前記順序がさらに前記測定レポートへの記入を停止するために前記端末装置によって用いられる。
【０１５５】
選択可能に、前記現在の測定対象分類に対応する報告条件は、前記現在の測定対象分類における測定対象の測定結果が第一のプリセット閾値より高く、又は前記現在の測定対象分類における測定対象の測定結果が前記第一のプリセット閾値より高く且つ第一のプリセット時間長で持続されること、前記現在の測定対象分類における測定対象の測定結果が第二のプリセット閾値より低く、又は前記現在の測定対象分類における測定対象の測定結果が前記第二のプリセット閾値より低く且つ第二のプリセット時間長で持続されること、前記現在の測定対象分類における測定対象の測定結果がプリセット範囲にあり、又は前記現在の測定対象分類における測定対象の測定結果が前記プリセット範囲にあり且つ第三のプリセット時間長で持続されること、前記現在の測定対象分類における測定対象が現在の測定対象分類における複数の測定対象のうちの測定結果が最も高いｎ個の測定対象であり、又は前記現在の測定対象分類における測定対象が前記測定結果の最も高いｎ個の測定対象であり且つ第四のプリセット時間長で持続され、ｎが正整数であること、前記現在の測定対象分類における測定対象が現在の測定対象分類における複数の測定対象のうちの測定結果が最も低いｍ個の測定対象であり、又は前記現在の測定対象分類における測定対象が前記測定結果の最も低いｍ個の測定対象であり且つ第五のプリセット時間長で持続され、ｍが正整数であること、前記測定レポート送信時刻がプリセットの報告周期を満たすことのうちの少なくとも一つを含む。
【０１５６】
選択可能に、前記次の測定対象分類に対応する報告条件は、前記端末装置が測定により前記次の測定対象分類における測定対象の測定結果を取得することができること、前記次の測定対象分類における測定対象の測定結果が第一のプリセット閾値より高く、又は前記次の測定対象分類における測定対象の測定結果が前記第一のプリセット閾値より高く且つ第一のプリセット時間長で持続されること、前記次の測定対象分類における測定対象の測定結果が第二のプリセット閾値より低く、又は前記次の測定対象分類における測定対象の測定結果が前記第二のプリセット閾値より低く且つ第二のプリセット時間長で持続されること、前記次の測定対象分類における測定対象の測定結果がプリセット範囲にあり、又は前記次の測定対象分類における測定対象の測定結果が前記プリセット範囲にあり且つ第三のプリセット時間長で持続されること、前記次の測定対象分類における測定対象が前記次の測定対象分類における複数の測定対象のうちの測定結果が最も高いｎ個の測定対象であり、又は前記次の測定対象分類における測定対象が前記測定結果の最も高いｎ個の測定対象であり且つ第四のプリセット時間長で持続され、ｎが正整数であること、前記次の測定対象分類における測定対象が前記次の測定対象分類における複数の測定対象のうちの測定結果が最も低いｍ個の測定対象であり、又は前記次の測定対象分類における測定対象が前記測定結果の最も低いｍ個の測定対象であり且つ第五のプリセット時間長で持続され、ｍが正整数であることのうちの少なくとも一つを含む。
【０１５７】
選択可能に、前記複数の測定対象分類はネットワーク装置、周波数ポイント、セルとビームのうちの少なくとも２つを含む。
【０１５８】
選択可能に、前記測定は、信号受信電力測定、信号受信品質測定、信号受信強度測定と信号干渉レベル測定のうちの少なくとも一つを含む。
【０１５９】
選択可能に、前記送信ユニット６１０は具体的に無線リソース制御（ＲＲＣ）層、メディアアクセス制御（ＭＡＣ）層又は物理層を介して前記端末装置へ前記測定配置情報を送信するように構成される。
【０１６０】
注意すべきものとして、本発明の実施例では、受信ユニット６３０は受信機によって実現されてもよく、送信ユニット６２０は送信機によって実現されてもよく、確定ユニット６１０はプロセッサによって実現されてもよい。図７に示すように、ネットワーク装置７００はプロセッサ７１０、送受信機７２０とメモリ７３０を備えることができる。ここで、送受信機７２０は受信機７２１と送信機７２２を含むことができ、メモリ７３０はパラメータ情報、伝送情報とマルチアクセス方式などの関連情報を記憶することに用いられてもよく、またプロセッサ７１０で実行されるコードなどを記憶することに用いられてもよい。ネットワーク装置７００における各構成要素はバスシステム７４０を介して結合され、ここでバスシステム７４０がデータバス以外、電源バス、制御バスと状態信号バスなどを含む。
【０１６１】
送信機７２２は、前記端末装置が前記測定配置情報に基づき、前記複数の測定対象分類に属する複数の測定対象を測定するように、端末装置へ測定配置情報を送信するように構成され、前記測定配置情報が測定待ちの複数の測定対象分類を含む。
【０１６２】
受信ユニット７２１は、前記端末装置から送信された測定レポートを送信するように構成され、前記測定レポートが前記複数の測定対象の中の報告条件を満たす測定対象の測定結果を含む。
【０１６３】
選択可能に、前記複数の測定対象は前記複数の測定対象のそれぞれの測定対象分類に対応する測定条件を満たす。
【０１６４】
選択可能に、前記端末装置が前記ネットワーク装置へ前記測定レポートを送信する前に、前記複数の測定対象の測定結果と前記複数の測定対象分類に対応する複数の報告条件に基づき、前記測定レポートを生成するように、前記測定配置情報はさらに前記複数の測定対象分類に対応する複数の報告条件を含む。
【０１６５】
選択可能に、前記複数の測定対象分類の間がプリセットの順序を満たし、前記順序が前記複数の測定対象の測定結果と前記複数の測定対象分類の順序に応じて、前記測定レポートに記入しようとする現在の測定対象分類を確定し、前記現在の測定対象分類に属する測定対象の測定結果が前記現在の測定対象分類に対応する報告条件を満たすか否かを確定するために前記端末装置によって用いられ、ここで、前記現在の測定対象分類における測定対象の測定結果が前記現在の測定対象分類に対応する報告条件を満たす場合、前記測定レポートに前記現在の測定対象分類における測定対象の測定結果が含まれ、しかも前記順序がさらに次の測定対象分類における測定対象の測定結果が前記次の測定対象分類に対応する報告条件を満たすか否かを確定するために前記端末装置によって用いられ、前記現在の測定対象分類の測定対象の測定結果が前記現在の測定対象分類に対応する報告条件を満たしていない場合、前記測定レポートに前記現在の測定対象分類における測定対象の測定結果が含まれなく、しかも前記順序がさらに前記測定レポートへの記入を停止するために前記端末装置によって用いられる。
【０１６６】
選択可能に、前記現在の測定対象分類に対応する報告条件は、前記現在の測定対象分類における測定対象の測定結果が第一のプリセット閾値より高く、又は前記現在の測定対象分類における測定対象の測定結果が前記第一のプリセット閾値より高く且つ第一のプリセット時間長で持続されること、前記現在の測定対象分類における測定対象の測定結果が第二のプリセット閾値より低く、又は前記現在の測定対象分類における測定対象の測定結果が前記第二のプリセット閾値より低く且つ第二のプリセット時間長で持続されること、前記現在の測定対象分類における測定対象の測定結果がプリセット範囲にあり、又は前記現在の測定対象分類における測定対象の測定結果が前記プリセット範囲にあり且つ第三のプリセット時間長で持続されること、前記現在の測定対象分類における測定対象が現在の測定対象分類における複数の測定対象のうちの測定結果が最も高いｎ個の測定対象であり、又は前記現在の測定対象分類における測定対象が前記測定結果の最も高いｎ個の測定対象であり且つ第四のプリセット時間長で持続され、ｎが正整数であること、前記現在の測定対象分類における測定対象が現在の測定対象分類における複数の測定対象のうちの測定結果が最も低いｍ個の測定対象であり、又は前記現在の測定対象分類における測定対象が前記測定結果の最も低いｍ個の測定対象であり且つ第五のプリセット時間長で持続され、ｍが正整数であること、前記測定レポート送信時刻がプリセットの報告周期を満たすことのうちの少なくとも一つを含む。
【０１６７】
選択可能に、前記次の測定対象分類に対応する報告条件は、前記端末装置が測定により前記次の測定対象分類における測定対象の測定結果を取得することができること、前記次の測定対象分類における測定対象の測定結果が第一のプリセット閾値より高く、又は前記次の測定対象分類における測定対象の測定結果が前記第一のプリセット閾値より高く且つ第一のプリセット時間長で持続されること、前記次の測定対象分類における測定対象の測定結果が第二のプリセット閾値より低く、又は前記次の測定対象分類における測定対象の測定結果が前記第二のプリセット閾値より低く且つ第二のプリセット時間長で持続されること、前記次の測定対象分類における測定対象の測定結果がプリセット範囲にあり、又は前記次の測定対象分類における測定対象の測定結果が前記プリセット範囲にあり且つ第三のプリセット時間長で持続されること、前記次の測定対象分類における測定対象が前記次の測定対象分類における複数の測定対象のうちの測定結果が最も高いｎ個の測定対象であり、又は前記次の測定対象分類における測定対象が前記測定結果の最も高いｎ個の測定対象であり且つ第四のプリセット時間長で持続され、ｎが正整数であること、前記次の測定対象分類における測定対象が前記次の測定対象分類における複数の測定対象のうちの測定結果が最も低いｍ個の測定対象であり、又は前記次の測定対象分類における測定対象が前記測定結果の最も低いｍ個の測定対象であり且つ第五のプリセット時間長で持続され、ｍが正整数であることのうちの少なくとも一つを含む。
【０１６８】
選択可能に、前記複数の測定対象分類はネットワーク装置、周波数ポイント、セルとビームのうちの少なくとも２つを含む。
【０１６９】
選択可能に、前記測定は、信号受信電力測定、信号受信品質測定、信号受信強度測定と信号干渉レベル測定のうちの少なくとも一つを含む。
【０１７０】
選択可能に、前記送信機７２２は具体的に無線リソース制御（ＲＲＣ）層、メディアアクセス制御（ＭＡＣ）層又は物理層を介して前記端末装置へ前記測定配置情報を送信するように構成される。
【０１７１】
図８は本発明の実施例によるシステムチップの概略構造図である。図８のシステムチップ８００は入力インタフェース８０１、出力インタフェース８０２、少なくとも一つのプロセッサ８０３、メモリ８０４を備え、前記入力インタフェース８０１、出力インタフェース８０２、前記プロセッサ８０３及びメモリ８０４がバス８０５を介して接続され、前記プロセッサ８０３が前記メモリ８０４でのコードを実行するように構成され、前記コードが実行される場合、前記プロセッサ８０３が図３に示すネットワーク装置によって実行される方法を実現することができる。前記バス８０５は接続方式の一つの例だけであり、本発明の実施例では、前記入力インタフェース８０１、出力インタフェース８０２、前記プロセッサ８０３及びメモリ８０４はさらに他の方式により接続されてもよく、ここで限定されない。
【０１７２】
当業者であれば、本明細書で開示された実施例と組み合わせて説明された各例のユニット及びアルゴリズムステップは、電子ハードウェア、又はコンピュータソフトウェアと電子ハードウェアの組み合わせで実現されてもいよいと理解できる。これらの機能がハードウエア又はソフトウエアで実行されるかは、技術的解決策の特徴応用と設計制約条件に依存する。当業者は各特定の応用に対して異なる方法を用いて記述される機能を実現することが可能だが、但しこのような実現は本発明の範囲を超えると見なしてはならない。
【０１７３】
本出願が提供する、いくつかの実施例では、開示されたシステム、装置及び方法は、他の方式により実現されてもよいと理解すべきである。例えば、上記の装置の実施例は例示的なものだけであり、例えば、前記ユニットの区分は、論理機能的区分だけであり、実際に実施する時に他の区分モードもあり得て、例えば複数のユニット又は構成要素は組み合わせてもよい又は別のシステムに統合されてもよく、又はいくつかの特徴は無視されてもよく、又は実行されなくてもよい。また、示される又は議論される相互結合又は直接結合又は通信接続はいくつかのインターフェース、装置又は機能モジュールを介する間接的結合又は通信接続であってもよく、電気的、機械的又は他の形態であってもよい。
【０１７４】
分離部材として説明された前記ユニットは物理的に分離するものであってもよく又は物理的に分離するものでなくてもよく、ユニットとして表示された部材は物理的要素であってもよく又は物理的ユニットでなくてもよく、すなわち一つの箇所に位置してもよく、又は複数のネットワーク要素に分布してもよい。実際のニーズに応じてそのうちの一部又は全てのユニットを選択して本実施例の技術的解決策の目的を達成することができる。
【０１７５】
また、本発明の各実施例における各機能ユニットは一つの処理ユニットに統合されてもよく、個々のユニットは単独で物理的に存在してもよく、二つ又は二つ以上のユニットは一つのユニットに統合されてもよい。
【０１７６】
前記機能はソフトウェア機能ユニットの形態で実現され且つ独立した製品として販売又は使用される時に、一つのコンピュータ読み取り可能な記憶媒体に格納されてもよい。このような理解に基づき、本発明の技術的解決策は本質的に又は従来技術に寄与する部分又は該技術的解決策の部分がソフトウェア製品の形で実現されてもよく、該コンピュータソフトウェア製品がコンピュータ装置（パーソナルコンピュータ、サーバ、又はネットワークデバイス等であってもよい）に本発明の様々な実施例に記載された方法の全て又は部分のステップを実行させるためのいくつかの命令を含む、記憶媒体に記憶されてもよい。前記憶媒体はＵディスク、モバイルハードディスク、読み出し専用メモリ（ＲＯＭ）、ランダムアクセスメモリ（ＲＡＭ）、磁気ディスク又は光ディスク等のプログラムコードを記憶できる各種の媒体を含む。
【０１７７】
以上は、本発明の具体的な実施形態だけであり、本発明の保護範囲はこれに制限されず、当業者が本発明に開示された技術範囲内で容易に想到し得る変化又は入れ替わりが全て本発明の保護範囲以内に含まれるべきである。したがって、本発明の保護範囲は前記特許請求の範囲によってに準拠するべきである。
【図１】
2020504486.tif 000003
【図２】
2020504486.tif 000004
【図３】
2020504486.tif 000005
【図４】
2020504486.tif 000006
【図５】
2020504486.tif 000007
【図６】
2020504486.tif 000008
【図７】
2020504486.tif 000009
【図８】
2020504486.tif 000010
【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
測定方法であって、
端末装置がネットワーク装置から送信された測定配置情報を受信し、前記測定配置情報が測定待ちの複数の測定対象分類を含むことと、
前記端末装置が前記測定配置情報に基づき、前記複数の測定対象分類に属する複数の測定対象を測定することと、
前記端末装置が前記ネットワーク装置へ測定レポートを送信し、前記測定レポートが前記複数の測定対象の中の報告条件を満たす測定対象の測定結果を含むこととを含む、前記測定方法。
【請求項２】
前記測定配置情報がさらに前記複数の測定対象分類に対応する複数の測定条件を含み、ここで、前記端末装置が前記測定配置情報に基づき、前記複数の測定対象分類に属する複数の測定対象を測定することは、
前記端末装置が、前記複数の測定対象が前記複数の測定対象のそれぞれの測定対象分類に対応する測定条件を満たすことを確定することと、
前記端末装置が前記複数の測定対象に対して前記測定を行うこととを含むことを特徴とする
請求項１に記載の方法。
【請求項３】
前記測定配置情報がさらに前記複数の測定対象分類に対応する複数の報告条件を含み、ここで、前記端末装置が前記ネットワーク装置へ測定レポートを送信する前に、前記方法はさらに、
前記端末装置が前記複数の測定対象の測定結果と前記複数の測定対象分類に対応する複数の報告条件に基づき、前記測定レポートを生成することを含むことを特徴とする
請求項１又は２に記載の方法。
【請求項４】
前記端末装置が前記複数の測定対象の測定結果と前記複数の測定対象分類に対応する複数の報告条件に基づき、前記測定レポートを生成することは、
前記端末装置が前記複数の測定対象の測定結果と前記複数の測定対象分類の順序に基づき、前記測定レポートに記入しようとする現在の測定対象分類を確定することと、
前記現在の測定対象分類に属する測定対象の測定結果が前記現在の測定対象分類に対応する報告条件を満たすか否かを確定することと、
前記現在の測定対象分類における測定対象の測定結果が前記現在の測定対象分類に対応する報告条件を満たす場合、前記端末装置が前記現在の測定対象分類における測定対象の測定結果を前記測定レポートに記入し、そして前記順序に従って、次の測定対象分類を確定し、そして前記次の測定対象分類に属する測定対象の測定結果が前記次の測定対象分類に対応する報告条件を満たすか否かを確定することと、
前記現在の測定対象分類に属する測定対象の測定結果が前記現在の測定対象分類に対応する報告条件を満たしていない場合、前記端末装置が前記測定レポートへの記入を停止することとを含むことを特徴とする
請求項３に記載の方法。
【請求項５】
前記現在の測定対象分類に対応する報告条件は、
前記現在の測定対象分類における測定対象の測定結果が第一のプリセット閾値より高く、又は前記現在の測定対象分類における測定対象の測定結果が前記第一のプリセット閾値より高く且つ第一のプリセット時間長で持続されること、
前記現在の測定対象分類における測定対象の測定結果が第二のプリセット閾値より低く、又は前記現在の測定対象分類における測定対象の測定結果が前記第二のプリセット閾値より低く且つ第二のプリセット時間長で持続されること、
前記現在の測定対象分類における測定対象の測定結果がプリセット範囲にあり、又は前記現在の測定対象分類における測定対象の測定結果が前記プリセット範囲にあり且つ第三のプリセット時間長で持続されること、
前記現在の測定対象分類における測定対象が前記現在の測定対象分類における複数の測定対象のうちの測定結果が最も高いｎ個の測定対象であり、又は前記現在の測定対象分類における測定対象が前記測定結果の最も高いｎ個の測定対象であり且つ第四のプリセット時間長で持続され、ｎが正整数であること、
前記現在の測定対象分類における測定対象が現在の測定対象分類における複数の測定対象のうちの測定結果が最も低いｍ個の測定対象であり、又は前記現在の測定対象分類における測定対象が前記測定結果の最も低いｍ個の測定対象であり且つ第五のプリセット時間長で持続され、ｍが正整数であること、
前記測定レポート送信時刻がプリセットの報告周期を満たすこと、
のうちの少なくとも一つを含むことを特徴とする
請求項４に記載の方法。
【請求項６】
前記次の測定対象分類に対応する報告条件は、
前記端末装置が前記測定により前記次の測定対象分類における測定対象の測定結果を取得することができること、
前記次の測定対象分類における測定対象の測定結果が第一のプリセット閾値より高く、又は前記次の測定対象分類における測定対象の測定結果が前記第一のプリセット閾値より高く且つ第一のプリセット時間長で持続されること、
前記次の測定対象分類における測定対象の測定結果が第二のプリセット閾値より低く、又は前記次の測定対象分類における測定対象の測定結果が前記第二のプリセット閾値より低く且つ第二のプリセット時間長で持続されること、
前記次の測定対象分類における測定対象の測定結果が前記プリセット範囲にあり、又は前記次の測定対象分類における測定対象の測定結果がプリセット範囲にあり且つ第三のプリセット時間長で持続されること、
前記次の測定対象分類における測定対象が前記次の測定対象分類における複数の測定対象のうちの測定結果が最も高いｎ個の測定対象であり、又は前記次の測定対象分類における測定対象が前記測定結果の最も高いｎ個の測定対象であり且つ第四のプリセット時間長で持続され、ｎが正整数であること、
前記次の測定対象分類における測定対象が前記次の測定対象分類における複数の測定対象のうちの測定結果が最も低いｍ個の測定対象であり、又は前記次の測定対象分類における測定対象が前記測定結果の最も低いｍ個の測定対象であり且つ第五のプリセット時間長で持続され、ｍが正整数であること、
のうちの少なくとも一つを含むことを特徴とする
請求項４又は５に記載の方法。
【請求項７】
前記複数の測定対象分類は、
ネットワーク装置、周波数ポイント、セルとビームのうちの少なくとも２つを含むことを特徴とする
請求項１−６のいずれか一項に記載の方法。
【請求項８】
前記測定は、
信号受信電力測定、信号受信品質測定、信号受信強度測定と信号干渉レベル測定のうちの少なくとも一つを含むことを特徴とする
請求項１−７のいずれか一項に記載の方法。
【請求項９】
前記端末装置がネットワーク装置から送信された測定配置情報を受信することは、
前記端末装置が前記ネットワーク装置から無線リソース制御（ＲＲＣ）層、メディアアクセス制御（ＭＡＣ）層又は物理層を介して送信された前記測定配置情報を受信することを含むことを特徴とする
請求項１−８のいずれか一項に記載の方法。
【請求項１０】
測定方法であって、
前記端末装置が前記測定配置情報に基づき、前記複数の測定対象分類に属する複数の測定対象を測定するように、ネットワーク装置が端末装置へ測定配置情報を送信し、前記測定配置情報が測定待ちの複数の測定対象分類を含むことと、
前記ネットワーク装置が前記端末装置から送信された測定レポートを受信し、前記測定レポートが前記複数の測定対象の中の報告条件を満たす測定対象の測定結果を含むこととを含む、前記測定方法。
【請求項１１】
前記測定配置情報はさらに前記複数の測定対象分類に対応する複数の測定条件を含み、ここで、前記複数の測定対象が前記複数の測定対象のそれぞれの測定対象分類に対応する測定条件を満たすことを特徴とする
請求項１０に記載の方法。
【請求項１２】
前記端末装置が前記ネットワーク装置へ前記測定レポートを送信する前に、前記複数の測定対象の測定結果と前記複数の測定対象分類に対応する複数の報告条件に基づき、前記測定レポートを生成するように、前記測定配置情報はさらに前記複数の測定対象分類に対応する複数の報告条件を含むことを特徴とする
請求項１０又は１１に記載の方法。
【請求項１３】
前記複数の測定対象分類の間がプリセットの順序を満たし、前記順序が前記複数の測定対象の測定結果と前記複数の測定対象分類の順序に応じて、前記測定レポートに記入しようとする現在の測定対象分類を確定し、前記現在の測定対象分類に属する測定対象の測定結果が前記現在の測定対象分類に対応する報告条件を満たすか否かを確定するために前記端末装置によって用いられ、
ここで、前記現在の測定対象分類における測定対象の測定結果が前記現在の測定対象分類に対応する報告条件を満たす場合、前記測定レポートに前記現在の測定対象分類における測定対象の測定結果が含まれ、しかも前記順序がさらに次の測定対象分類における測定対象の測定結果が前記次の測定対象分類に対応する報告条件を満たすか否かを確定するために前記端末装置によって用いられ、
前記現在の測定対象分類における測定対象の測定結果が前記現在の測定対象分類に対応する報告条件を満たしていない場合、前記測定レポートに前記現在の測定対象分類における測定対象の測定結果が含まれなく、しかも前記順序がさらに前記測定レポートへの記入を停止するために前記端末装置によって用いられることを特徴とする
請求項１２に記載の方法。
【請求項１４】
前記現在の測定対象分類に対応する報告条件は、
前記現在の測定対象分類における測定対象の測定結果が第一のプリセット閾値より高く、又は前記現在の測定対象分類における測定対象の測定結果が前記第一のプリセット閾値より高く且つ第一のプリセット時間長で持続されること、
前記現在の測定対象分類における測定対象の測定結果が第二のプリセット閾値より低く、又は前記現在の測定対象分類における測定対象の測定結果が前記第二のプリセット閾値より低く且つ第二のプリセット時間長で持続されること、
前記現在の測定対象分類における測定対象の測定結果がプリセット範囲にあり、又は前記現在の測定対象分類における測定対象の測定結果が前記プリセット範囲にあり且つ第三のプリセット時間長で持続されること、
前記現在の測定対象分類における測定対象が前記現在の測定対象分類における複数の測定対象のうちの測定結果が最も高いｎ個の測定対象であり、又は前記現在の測定対象分類における測定対象が前記測定結果の最も高いｎ個の測定対象であり且つ第四のプリセット時間長で持続され、ｎが正整数であること、
前記現在の測定対象分類における測定対象が現在の測定対象分類における複数の測定対象のうちの測定結果が最も低いｍ個の測定対象であり、又は前記現在の測定対象分類における測定対象が前記測定結果の最も低いｍ個の測定対象であり且つ第五のプリセット時間長で持続され、ｍが正整数であること、
前記測定レポート送信時刻がプリセットの報告周期を満たすこと、
のうちの少なくとも一つを含むことを特徴とする
請求項１３に記載の方法。
【請求項１５】
前記次の測定対象分類に対応する報告条件は、
前記端末装置が測定により前記次の測定対象分類における測定対象の測定結果を取得することができること、
前記次の測定対象分類における測定対象の測定結果が第一のプリセット閾値より高く、又は前記次の測定対象分類における測定対象の測定結果が前記第一のプリセット閾値より高く且つ第一のプリセット時間長で持続されること、
前記次の測定対象分類における測定対象の測定結果が第二のプリセット閾値より低く、又は前記次の測定対象分類における測定対象の測定結果が前記第二のプリセット閾値より低く且つ第二のプリセット時間長で持続されること、
前記次の測定対象分類における測定対象の測定結果がプリセット範囲にあり、又は前記次の測定対象分類における測定対象の測定結果が前記プリセット範囲にあり且つ第三のプリセット時間長で持続されること、
前記次の測定対象分類における測定対象が前記次の測定対象分類における複数の測定対象のうちの測定結果が最も高いｎ個の測定対象であり、又は前記次の測定対象分類における測定対象が前記測定結果の最も高いｎ個の測定対象であり且つ第四のプリセット時間長で持続され、ｎが正整数であること、
前記次の測定対象分類における測定対象が前記次の測定対象分類における複数の測定対象のうちの測定結果が最も低いｍ個の測定対象であり、又は前記次の測定対象分類における測定対象が前記測定結果の最も低いｍ個の測定対象であり且つ第五のプリセット時間長で持続され、ｍが正整数であること、
のうちの少なくとも一つを含むことを特徴とする
請求項１３又は１４に記載の方法。
【請求項１６】
前記複数の測定対象分類は、
ネットワーク装置、周波数ポイント、セルとビームのうちの少なくとも２つを含むことを特徴とする
請求項１０−１５のいずれか一項に記載の方法。
【請求項１７】
前記測定は、
信号受信電力測定、信号受信品質測定、信号受信強度測定と信号干渉レベル測定のうちの少なくとも一つを含むことを特徴とする
請求項１０−１６のいずれか一項に記載の方法。
【請求項１８】
前記ネットワーク装置が端末装置へ測定配置情報を送信することは、
前記ネットワーク装置が無線リソース制御（ＲＲＣ）層、メディアアクセス制御（ＭＡＣ）層又は物理層を介して前記端末装置へ前記測定配置情報を送信することを含むことを特徴とする
請求項１０−１７のいずれか一項に記載の方法。
【請求項１９】
端末装置であって、
ネットワーク装置から送信された測定配置情報を受信するように構成され、前記測定配置情報が測定待ちの複数の測定対象分類を含む受信ユニットと、
前記測定配置情報に基づき、前記複数の測定対象分類に属する複数の測定対象を測定するように構成される測定ユニットと、
前記ネットワーク装置へ測定レポートを送信するように構成され、前記測定レポートが前記複数の測定対象の中の報告条件を満たす測定対象の測定結果を含む送信ユニットとを備える、前記端末装置。
【請求項２０】
前記測定配置情報がさらに前記複数の測定対象分類に対応する複数の測定条件を含み、ここで、前記測定ユニットは具体的に、
前記複数の測定対象が前記複数の測定対象のそれぞれの測定対象分類に対応する測定条件を満たすことを確定し、
前記複数の測定対象に対して前記測定を行うように構成されることを特徴とする
請求項１９に記載の端末装置。
【請求項２１】
前記測定配置情報がさらに前記複数の測定対象分類に対応する複数の報告条件を含み、ここで、前記測定ユニットはさらに、
前記送信ユニットが前記ネットワーク装置へ測定レポートを送信する前に、前記複数の測定対象の測定結果と前記複数の測定対象分類に対応する複数の報告条件に基づき、前記測定レポートを生成するように構成されることを特徴とする
請求項１９又は２０に記載の端末装置。
【請求項２２】
前記測定ユニットは具体的に、
前記複数の測定対象の測定結果と前記複数の測定対象分類の順序に基づき、前記測定レポートに記入しようとする現在の測定対象分類を確定し、
前記現在の測定対象分類に属する測定対象の測定結果が前記現在の測定対象分類に対応する報告条件を満たすか否かを確定し、
前記現在の測定対象分類における測定対象の測定結果が前記現在の測定対象分類に対応する報告条件を満たす場合、前記現在の測定対象分類における測定対象の測定結果を前記測定レポートに記入し、そして前記順序に従って、次の測定対象分類を確定し、そして前記次の測定対象分類に属する測定対象の測定結果が前記次の測定対象分類に対応する報告条件を満たすか否かを確定し、
前記現在の測定対象分類に属する測定対象の測定結果が前記現在の測定対象分類に対応する報告条件を満たしていない場合、前記測定レポートへの記入を停止するように構成されることを特徴とする
請求項２１に記載の端末装置。
【請求項２３】
前記現在の測定対象分類に対応する報告条件は、
前記現在の測定対象分類における測定対象の測定結果が第一のプリセット閾値より高く、又は前記現在の測定対象分類における測定対象の測定結果が前記第一のプリセット閾値より高く且つ第一のプリセット時間長で持続されること、
前記現在の測定対象分類における測定対象の測定結果が第二のプリセット閾値より低く、又は前記現在の測定対象分類における測定対象の測定結果が前記第二のプリセット閾値より低く且つ第二のプリセット時間長で持続されること、
前記現在の測定対象分類における測定対象の測定結果がプリセット範囲にあり、又は前記現在の測定対象分類における測定対象の測定結果が前記プリセット範囲にあり且つ第三のプリセット時間長で持続されること、
前記現在の測定対象分類における測定対象が前記現在の測定対象分類における複数の測定対象のうちの測定結果が最も高いｎ個の測定対象であり、又は前記現在の測定対象分類における測定対象が前記測定結果の最も高いｎ個の測定対象であり且つ第四のプリセット時間長で持続され、ｎが正整数であること、
前記現在の測定対象分類における測定対象が現在の測定対象分類における複数の測定対象のうちの測定結果が最も低いｍ個の測定対象であり、又は前記現在の測定対象分類における測定対象が前記測定結果の最も低いｍ個の測定対象であり且つ第五のプリセット時間長で持続され、ｍが正整数であること、
前記測定レポート送信時刻がプリセットの報告周期を満たすこと、
のうちの少なくとも一つを含むことを特徴とする請求項２２に記載の端末装置。
【請求項２４】
前記次の測定対象分類に対応する報告条件は、
前記端末装置が前記測定により前記次の測定対象分類における測定対象の測定結果を取得することができること、
前記次の測定対象分類における測定対象の測定結果が第一のプリセット閾値より高く、又は前記次の測定対象分類における測定対象の測定結果が前記第一のプリセット閾値より高く且つ第一のプリセット時間長で持続されること、
前記次の測定対象分類における測定対象の測定結果が第二のプリセット閾値より低く、又は前記次の測定対象分類における測定対象の測定結果が前記第二のプリセット閾値より低く且つ第二のプリセット時間長で持続されること、
前記次の測定対象分類における測定対象の測定結果が前記プリセット範囲にあり、又は前記次の測定対象分類における測定対象の測定結果がプリセット範囲にあり且つ第三のプリセット時間長で持続されること、
前記次の測定対象分類における測定対象が前記次の測定対象分類における複数の測定対象のうちの測定結果が最も高いｎ個の測定対象であり、又は前記次の測定対象分類における測定対象が前記測定結果の最も高いｎ個の測定対象であり且つ第四のプリセット時間長で持続され、ｎが正整数であること、
前記次の測定対象分類における測定対象が前記次の測定対象分類における複数の測定対象のうちの測定結果が最も低いｍ個の測定対象であり、又は前記次の測定対象分類における測定対象が前記測定結果の最も低いｍ個の測定対象であり且つ第五のプリセット時間長で持続され、ｍが正整数であること、
のうちの少なくとも一つを含むことを特徴とする
請求項２２又は２３に記載の端末装置。
【請求項２５】
前記複数の測定対象分類は、
ネットワーク装置、周波数ポイント、セルとビームのうちの少なくとも２つを含むことを特徴とする
請求項１９−２４のいずれか一項に記載の端末装置。
【請求項２６】
前記測定は、
信号受信電力測定、信号受信品質測定、信号受信強度測定と信号干渉レベル測定のうちの少なくとも一つを含むことを特徴とする
請求項１９−２５のいずれか一項に記載の端末装置。
【請求項２７】
前記受信ユニットは具体的に、
前記ネットワーク装置から無線リソース制御（ＲＲＣ）層、メディアアクセス制御（ＭＡＣ）層又は物理層を介して送信された前記測定配置情報を受信するように構成されることを特徴とする
請求項１９−２６のいずれか一項に記載の端末装置。
【請求項２８】
ネットワーク装置であって、
前記端末装置が前記測定配置情報に基づき、前記複数の測定対象分類に属する複数の測定対象を測定するように、端末装置へ測定配置情報を送信するように構成され、前記測定配置情報が測定待ちの複数の測定対象分類を含む送信ユニットと、
前記端末装置から送信された測定レポートを受信するように構成され、前記測定レポートが前記複数の測定対象の中の報告条件を満たす測定対象の測定結果を含む受信ユニットとを備える、前記ネットワーク装置。
【請求項２９】
前記測定配置情報がさらに前記複数の測定対象分類に対応する複数の測定条件を含み、ここで、前記複数の測定対象が前記複数の測定対象のそれぞれの測定対象分類に対応する測定条件を満たすことを特徴とする
請求項２８に記載のネットワーク装置。
【請求項３０】
前記端末装置が前記ネットワーク装置へ前記測定レポートを送信する前に、前記複数の測定対象の測定結果と前記複数の測定対象分類に対応する複数の報告条件に基づき、前記測定レポートを生成するように、前記測定配置情報はさらに前記複数の測定対象分類に対応する複数の報告条件を含むことを特徴とする
請求項２８又は２９に記載のネットワーク装置。
【請求項３１】
前記複数の測定対象分類の間がプリセットの順序を満たし、前記順序が前記複数の測定対象の測定結果と前記複数の測定対象分類の順序に応じて、前記測定レポートに記入しようとする現在の測定対象分類を確定し、前記現在の測定対象分類に属する測定対象の測定結果が前記現在の測定対象分類に対応する報告条件を満たすか否かを確定するために前記端末装置によって用いられ、
ここで、前記現在の測定対象分類における測定対象の測定結果が前記現在の測定対象分類に対応する報告条件を満たす場合、前記測定レポートに前記現在の測定対象分類における測定対象の測定結果が含まれ、しかも前記順序がさらに次の測定対象分類における測定対象の測定結果が前記次の測定対象分類に対応する報告条件を満たすか否かを確定するために前記端末装置によって用いられ、
前記現在の測定対象分類における測定対象の測定結果が前記現在の測定対象分類に対応する報告条件を満たしていない場合、前記測定レポートに前記現在の測定対象分類における測定対象の測定結果が含まれなく、しかも前記順序がさらに前記測定レポートへの記入を停止するために前記端末装置によって用いられることを特徴とする
請求項３０に記載のネットワーク装置。
【請求項３２】
前記現在の測定対象分類に対応する報告条件は、
前記現在の測定対象分類における測定対象の測定結果が第一のプリセット閾値より高く、又は前記現在の測定対象分類における測定対象の測定結果が前記第一のプリセット閾値より高く且つ第一のプリセット時間長で持続されること、
前記現在の測定対象分類における測定対象の測定結果が第二のプリセット閾値より低く、又は前記現在の測定対象分類における測定対象の測定結果が前記第二のプリセット閾値より低く且つ第二のプリセット時間長で持続されること、
前記現在の測定対象分類における測定対象の測定結果がプリセット範囲にあり、又は前記現在の測定対象分類における測定対象の測定結果が前記プリセット範囲にあり且つ第三のプリセット時間長で持続されること、
前記現在の測定対象分類における測定対象が前記現在の測定対象分類における複数の測定対象のうちの測定結果が最も高いｎ個の測定対象であり、又は前記現在の測定対象分類における測定対象が前記測定結果の最も高いｎ個の測定対象であり且つ第四のプリセット時間長で持続され、ｎが正整数であること、
前記現在の測定対象分類における測定対象が現在の測定対象分類における複数の測定対象のうちの測定結果が最も低いｍ個の測定対象であり、又は前記現在の測定対象分類における測定対象が前記測定結果の最も低いｍ個の測定対象であり且つ第五のプリセット時間長で持続され、ｍが正整数であること、
前記測定レポート送信時刻がプリセットの報告周期を満たすこと、
のうちの少なくとも一つを含むことを特徴とする
請求項３１に記載のネットワーク装置。
【請求項３３】
前記次の測定対象分類に対応する報告条件は、
前記端末装置が測定により前記次の測定対象分類における測定対象の測定結果を取得することができること、
前記次の測定対象分類における測定対象の測定結果が第一のプリセット閾値より高く、又は前記次の測定対象分類における測定対象の測定結果が前記第一のプリセット閾値より高く且つ第一のプリセット時間長で持続されること、
前記次の測定対象分類における測定対象の測定結果が第二のプリセット閾値より低く、又は前記次の測定対象分類における測定対象の測定結果が前記第二のプリセット閾値より低く且つ第二のプリセット時間長で持続されること、
前記次の測定対象分類における測定対象の測定結果がプリセット範囲にあり、又は前記次の測定対象分類における測定対象の測定結果が前記プリセット範囲にあり且つ第三のプリセット時間長で持続されること、
前記次の測定対象分類における測定対象が前記次の測定対象分類における複数の測定対象のうちの測定結果が最も高いｎ個の測定対象であり、又は前記次の測定対象分類における測定対象が前記測定結果の最も高いｎ個の測定対象であり且つ第四のプリセット時間長で持続され、ｎが正整数であること、
前記次の測定対象分類における測定対象が前記次の測定対象分類における複数の測定対象のうちの測定結果が最も低いｍ個の測定対象であり、又は前記次の測定対象分類における測定対象が前記測定結果の最も低いｍ個の測定対象であり且つ第五のプリセット時間長で持続され、ｍが正整数であること、
のうちの少なくとも一つを含むことを特徴とする
請求項３１又は３２に記載のネットワーク装置。
【請求項３４】
前記複数の測定対象分類は、
ネットワーク装置、周波数ポイント、セルとビームのうちの少なくとも２つを含むことを特徴とする
請求項２８−３３のいずれか一項に記載のネットワーク装置。
【請求項３５】
前記測定は、
信号受信電力測定、信号受信品質測定、信号受信強度測定と信号干渉レベル測定のうちの少なくとも一つを含み、
前記送信ユニットは具体的に、
無線リソース制御（ＲＲＣ）層、メディアアクセス制御（ＭＡＣ）層又は物理層を介して前記端末装置へ前記測定配置情報を送信するように構成されることを特徴とする
請求項２８−３４のいずれか一項に記載のネットワーク装置。
【国際調査報告】
2020504486.tif 000011
2020504486.tif 000012
2020504486.tif 000013
2020504486.tif 000014